(57)【要約】【課題】電子カルテ等の原資料の記載と診療報告書内の記載との関連性を迅速に検証可能とする報告書作成支援装置、そのデータ処理方法、およびプログラムを提供する。【解決手段】報告書作成支援装置１００は、構造化された電子カルテデータ１１０内における或る単位データ１１２を識別する記事ＩＤ１１４を取得するＩＤ取得部１０２と、記事ＩＤ１１４を診療報告書データ１２０内の部分データ１２２と関連付けて保存する保存部１０４と、を備える。【選択図】図１
2016066332.tif 000002
【特許請求の範囲】
【請求項１】
構造化された電子カルテデータ内における或る単位データを識別する記事ＩＤを取得するＩＤ取得手段と、
前記記事ＩＤを診療報告書データ内の部分データと関連付けて保存する保存手段と、
を備える報告書作成支援装置。
【請求項２】
前記電子カルテデータ内の前記単位データの一部または全部となるオリジナルコンテンツをコピーし、前記コピーされたオリジナルコンテンツを前記診療報告書データ内に編集可能な状態で貼り付けるコピー手段をさらに備え、
前記保存手段は、前記記事ＩＤおよび前記オリジナルコンテンツと、前記コピーされたオリジナルコンテンツが前記診療報告書データ内に貼り付けられてなる前記部分データとを関連付けて保存する、
請求項１に記載の報告書作成支援装置。
【請求項３】
前記診療報告書データ内の前記部分データの第１指定操作を受け付ける第１指定操作受付手段と、
前記電子カルテデータ内の前記単位データの第２指定操作を受け付ける第２指定操作受付手段と、
をさらに備え、
前記ＩＤ取得手段は、前記受け付けられた第２指定操作により指定される単位データに関する記事ＩＤを取得し、
前記保存手段は、前記取得された記事ＩＤを前記受け付けられた第１指定操作により指定される部分データと関連付けて保存する、
請求項１または２に記載の報告書作成支援装置。
【請求項４】
前記診療報告書データから、前記記事ＩＤが関連付けられていない部分データを特定する特定手段と、
前記診療報告書データを表示する際に、前記特定された、記事ＩＤが関連付けられていない部分データを強調して表示する強調表示手段と、
をさらに備える請求項１から３いずれか１項に記載の報告書作成支援装置。
【請求項５】
前記診療報告書データは、構造化された単位データを含み、
前記診療報告書データ内の各単位データを示すデータ項目ＩＤに、当該単位データに入力されるべき前記電子カルテデータの前記単位データを示す前記記事ＩＤを関連付けて記憶する報告書情報記憶手段と、
前記データ項目ＩＤに関連付けられた前記記事ＩＤに対応する、前記電子カルテデータ内の単位データの一部または全部となるオリジナルコンテンツを前記電子カルテデータから抽出する抽出手段と、
前記抽出された単位データの一部または全部となるオリジナルコンテンツをコピーし、前記コピーされたオリジナルコンテンツを前記診療報告書データ内に編集可能な状態で前記データ項目ＩＤが示す単位データに貼り付けるコピー手段と、
をさらに備え、
前記保存手段は、前記記事ＩＤおよび前記オリジナルコンテンツと、前記コピーされたオリジナルコンテンツが前記診療報告書データ内に貼り付けられてなる前記単位データと関連付けて保存する、
請求項１から４いずれか１項に記載の報告書作成支援装置。
【請求項６】
前記ＩＤ取得手段は、前記記事ＩＤに加えて、前記電子カルテデータ内の前記単位データに関連付けられている患者ＩＤを取得し、
前記保存手段は、前記記事ＩＤおよび前記患者ＩＤを、前記診療報告書データ内の前記部分データと関連付けて保存し、
前記診療報告書データ内の各部分データに関連付けられる前記患者ＩＤに基づいて、対象外の患者の前記部分データが含まれていないかを検出する検出手段をさらに備える、
請求項１から５いずれか１項に記載の報告書作成支援装置。
【請求項７】
前記電子カルテデータ内の複数の単位データの各々における一部または全部となるオリジナルコンテンツ群をコピーし、前記コピーされたオリジナルコンテンツ群を前記診療報告書データ内に編集可能な状態で貼り付けるコピー手段をさらに備え、
前記ＩＤ取得手段は、前記オリジナルコンテンツ群に対応する複数の記事ＩＤを取得し、
前記保存手段は、前記取得された複数の記事ＩＤを、前記コピーされた複数のオリジナルコンテンツ群が前記診療報告書データ内に貼り付けられてなる前記部分データと関連付けて保存する、
請求項１から６いずれか１項に記載の報告書作成支援装置。
【請求項８】
前記電子カルテデータ内の前記単位データの一部または全部となるオリジナルコンテンツをコピーし、前記コピーされたオリジナルコンテンツを前記診療報告書データ内に編集可能な状態で貼り付けるコピー手段をさらに備え、
前記コピー手段により、前記電子カルテデータ内の同一単位データの一部または全部となる同一のオリジナルコンテンツが複数、前記診療報告書データ内の１つの部分データに重複してコピーされた場合、前記保存手段は、１つの記事ＩＤおよび１つのオリジナルコンテンツと、１つの前記部分データとを関連付けて保存する、
請求項１から７いずれか１項に記載の報告書作成支援装置。
【請求項９】
前記診療報告書データ内の前記部分データを表示するとともに、当該部分データに関連付けられている、前記電子カルテデータ内の前記単位データの一部または全部となるオリジナルコンテンツおよび前記単位データの前記記事ＩＤの少なくともいずれか一方を含むメタ情報は非表示とするメタ情報表示制御手段をさらに備え、
前記メタ情報表示制御手段は、リクエストに応じて、前記メタ情報を当該部分データに対応付けて編集不可および視認可能な状態で表示する、
請求項１から８いずれか１項に記載の報告書作成支援装置。
【請求項１０】
前記電子カルテデータ内の少なくとも１つの単位データに関連付けられている前記診療報告書データ内の各部分データに関する属性に応じて、各部分データの表示方法を変更する表示制御手段をさらに備える、
請求項１から９いずれか１項に記載の報告書作成支援装置。
【請求項１１】
前記診療報告書データ内の前記部分データの指定操作を受け付ける指定操作受付手段と、
前記診療報告書データ内の、前記受け付けられた指定操作により指定される部分データに関連付けられた前記記事ＩＤに基づいて、当該部分データに対応する、前記電子カルテデータ内の単位データを特定する対応データ特定手段と、
前記診療報告書データ内の前記指定される部分データ、および、前記電子カルテデータ内の前記特定された単位データを、それぞれ関連がわかるように表示する対応データ表示手段と、
をさらに備える請求項１から１０いずれか１項に記載の報告書作成支援装置。
【請求項１２】
前記電子カルテデータから、対象となる、患者および期間に対応する単位データを抽出し、各単位データに前記記事ＩＤを付与し、診療報告書データ作成用の中間ファイルデータを生成する中間ファイル生成手段をさらに備え、
前記電子カルテデータの代わりに、前記中間ファイルデータを使用する、
請求項１から１１いずれか１項に記載の報告書作成支援装置。
【請求項１３】
報告書作成支援装置が、
構造化された電子カルテデータ内における或る単位データを識別する記事ＩＤを取得し、
前記記事ＩＤを診療報告書データ内の部分データと関連付けて保存する、
報告書作成支援装置のデータ処理方法。
【請求項１４】
報告書作成支援装置を実現するコンピュータに、
構造化された電子カルテデータ内における或る単位データを識別する記事ＩＤを取得する手順、
前記記事ＩＤを診療報告書データ内の部分データと関連付けて保存する手順、
を実行させるためのプログラム。
【発明の詳細な説明】
【技術分野】
【０００１】
本発明は、報告書作成支援装置、そのデータ処理方法、およびプログラムに関し、特に、ソース情報の記載に基づいて作成される報告書の作成を支援する報告書作成支援装置、そのデータ処理方法、およびプログラムに関する。
【背景技術】
【０００２】
医薬販売後のデータ検証業務を支援するデータ検証支援システムの一例が特許文献１に記載されている。特許文献１のデータ検証支援システムは、実施者端末と検証者端末とにネットワークを介して接続されるデータ検証支援サーバーを用いる。実施者端末は調査依頼されている医薬品毎の調査票入力画面に患者情報が入力されると論理チェック結果を表示し、検証者端末はデータ検証支援サーバーが登録した調査票登録情報と論理チェック結果とを表示して検証支援サーバーに再調査依頼要求情報または調査完了を供給し、データ検証支援サーバーは実施者端末に再調査依頼する医薬品の再調査票情報を供給して再依頼の版数を管理し、実施者端末または検証者端末にデータ検証の進捗状態を供給することにより達成される。
【０００３】
また、特許文献２に記載の医療情報管理支援装置は、ユーザが入力した医療情報を受け付ける受付部と、受け付けた医療情報から、予め定められた一部または全部の医療情報を抽出することにより、カルテに記録する医療情報であるカルテ情報を一定の形式で生成するカルテ情報生成部と、受付部が受け付けた医療情報から、予め定められた一部または全部の医療情報を抽出することにより、症例報告書作成のための医療情報である報告情報を生成する報告情報生成部とを備える。この構成により、特許文献２に記載の医療情報管理支援装置は、既存の電子カルテ装置が備えるデータベースのデータ構造に依存することなく、複数の装置において共通する医療情報をそれぞれに入力することを不要とし、装置への入力に関連する医療者の負担軽減を可能としている。
【先行技術文献】
【特許文献】
【０００４】
【特許文献１】特開２００７−１１５２８９号公報
【特許文献２】特開２００８−４７１５７号公報
【発明の概要】
【発明が解決しようとする課題】
【０００５】
医療に関する診療報告書には、電子カルテや看護記録等の原資料の記載に基づくことが厳格に求められるものがある。たとえば、医療の治験研究（薬事法認可申請のための研究）や臨床研究（医師等による医学発展のための研究）に関して作成される症例報告書（ＣＲＦ：Clinical Research Form）は、電子カルテや看護記録等の原資料の記載に基づいて作成されるものであり、その記載内容は、電子カルテ等の原資料の記載に基づいたものであることが厳しく検証される（ＳＤＶ：Source Data/Document Verification）。
【０００６】
その検証方法は、原資料と報告書の照合（正確か、漏れはないか、根拠は適格か等）だけでなく、原資料内の矛盾や未完部分も確認する。また、原資料の複数箇所に同じような情報が記載されている場合には、その全てを確認し、最終的に得られた情報に矛盾がないことも確認する。これらの作業は煩雑であり、たとえ熟練者であっても多くの時間と労力を要する。
【０００７】
しかしながら、上述した特許文献記載の技術では、報告書の作成または検証を支援する装置において、原資料の記載を元に報告書を作成または検証する際に、報告書に転記された記載の元となる原資料内のオリジナル記載の場所の特定を容易にかつ的確に行うことで、報告書の正当性および原資料との矛盾の検証の効率化を図るという発想はなかった。
【０００８】
本発明は上記事情に鑑みてなされたものであり、その目的とするところは、電子カルテ等の原資料の記載と診療報告書内の記載との関連性を迅速に検証可能とする報告書作成支援装置、そのデータ処理方法、およびプログラムを提供することにある。
【課題を解決するための手段】
【０００９】
本発明の各側面では、上述した課題を解決するために、それぞれ以下の構成を採用する。
【００１０】
第一の側面は、報告書作成支援装置に関する。
第一の側面に係る報告書作成支援装置は、
構造化された電子カルテデータ内における或る単位データを識別する記事ＩＤを取得するＩＤ取得手段と、
前記記事ＩＤを診療報告書データ内の部分データと関連付けて保存する保存手段と、を有する。
【００１１】
第二の側面は、少なくとも１つのコンピュータにより実行される報告書作成支援装置のデータ処理方法に関する。
第二の側面に係る報告書作成支援装置のデータ処理方法は、
報告書作成支援装置が、
構造化された電子カルテデータ内における或る単位データを識別する記事ＩＤを取得し、
前記記事ＩＤを診療報告書データ内の部分データと関連付けて保存する、ことを含む。
【００１２】
なお、本発明の他の側面としては、上記第二の側面の方法を少なくとも１つのコンピュータに実行させるプログラムであってもよいし、このようなプログラムを記録したコンピュータが読み取り可能な記録媒体であってもよい。この記録媒体は、非一時的な有形の媒体を含む。
このコンピュータプログラムは、コンピュータにより実行されたとき、コンピュータに、報告書作成支援装置上で、そのデータ処理方法を実施させるコンピュータプログラムコードを含む。
【００１３】
なお、以上の構成要素の任意の組合せ、本発明の表現を方法、装置、システム、記録媒体、コンピュータプログラムなどの間で変換したものもまた、本発明の態様として有効である。
【００１４】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１５】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障のない範囲で変更することができる。
【００１６】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１７】
上記各側面によれば、電子カルテ等の原資料の記載と診療報告書内の記載との関連性を迅速に検証可能とする報告書作成支援装置、そのデータ処理方法、およびプログラムを提供することができる。
【図面の簡単な説明】
【００１８】
【図１】本発明の実施の形態に係る報告書作成支援装置の構成を論理的に示す機能ブロック図である。
【図２】本発明の実施の形態に係る報告書作成支援装置の動作を説明するための図である。
【図３】本実施形態の報告書作成支援装置を実現するコンピュータの構成例を示すブロック図である。
【図４】本実施形態の報告書作成支援装置の動作の一例を示すフローチャートである。
【図５】本実施形態の報告書作成支援装置を用いて電子カルテから症例報告書を作成する手順の一例を示すフローチャートである。
【図６】本実施形態の報告書作成支援装置を用いて電子カルテから症例報告書を作成する際の画面操作例を説明するための図である。
【図７】本実施形態の報告書作成支援装置における電子カルテから症例報告書へのデータ転記時の処理方法を説明するための図である。
【図８】本実施形態の報告書作成支援装置における電子カルテから症例報告書へのデータ転記時の処理方法を説明するための図である。
【図９】本発明の実施の形態に係る報告書作成支援装置の構成を論理的に示す機能ブロック図である。
【図１０】本実施形態の報告書作成支援装置の動作の一例を示すフローチャートである。
【図１１】本実施形態の報告書作成支援装置の症例報告書の表示例を示す図である。
【図１２】本発明の実施の形態に係る報告書作成支援装置の構成を論理的に示す機能ブロック図である。
【図１３】本実施形態の報告書作成支援装置における表示画面の一例を示す図である。
【図１４】本発明の実施の形態に係る報告書作成支援装置の構成を論理的に示す機能ブロック図である。
【図１５】本実施形態の報告書作成支援装置を用いて症例報告書の記載内容に電子カルテ内の記載箇所の指定を後から付与する手順の一例を示すフローチャートである。
【図１６】本実施形態の報告書作成支援装置を用いて症例報告書の記載内容に電子カルテ内の記載箇所の指定を後から付与する際の画面操作例を説明するための図である。
【図１７】本発明の実施の形態に係る報告書作成支援装置の構成を論理的に示す機能ブロック図である。
【図１８】本実施形態の報告書作成支援装置における症例報告書の編集画面を示す図である。
【図１９】本発明の実施の形態に係る報告書作成支援装置の構成を論理的に示す機能ブロック図である。
【図２０】本実施形態の報告書作成支援装置を用いて電子カルテから症例報告書を自動生成する手順の一例を示すフローチャートである。
【図２１】本実施形態の報告書作成支援装置を用いて電子カルテから症例報告書を自動生成する手順の一例を示すフローチャートである。
【図２２】本発明の実施の形態に係る報告書作成支援装置の構成を論理的に示す機能ブロック図である。
【図２３】本実施形態の報告書作成支援装置を用いた対象患者チェックの手順の例を示すフローチャートである。
【図２４】本実施形態の報告書作成支援装置を用いた対象患者チェックの手順の例を示すフローチャートである。
【図２５】本発明の実施の形態に係る報告書作成支援装置の構成を論理的に示す機能ブロック図である。
【図２６】本発明の実施の形態に係る報告書作成支援装置の構成を論理的に示す機能ブロック図である。
【図２７】本発明の実施の形態に係る報告書作成支援装置の構成を論理的に示す機能ブロック図である。
【発明を実施するための形態】
【００１９】
以下、本発明の実施の形態について、図面を用いて説明する。尚、すべての図面において、同様な構成要素には同様の符号を付し、適宜説明を省略する。
【００２０】
（第１の実施の形態）
本発明の第１の実施の形態に係る報告書作成支援装置、データ処理方法およびプログラムについて、以下説明する。
図１は、本発明の実施の形態に係る報告書作成支援装置１００の構成を論理的に示す機能ブロック図である。
本発明において、報告書作成支援装置１００は、構造化された電子カルテデータ１１０内における或る単位データ１１２を識別する記事ＩＤ１１４を取得するＩＤ取得部１０２と、記事ＩＤ１１４を診療報告書データ１２０内の部分データ１２２と関連付けて保存する保存部１０４と、を備える。
【００２１】
さらに、本実施形態の報告書作成支援装置１００は、電子カルテデータ１１０内の単位データ１１２の一部または全部となるオリジナルコンテンツ１１６をコピーし、コピーされたオリジナルコンテンツ１１６を診療報告書データ１２０内に編集可能な状態で貼り付けるコピー部１０６をさらに備える。
保存部１０４は、記事ＩＤ１１４およびオリジナルコンテンツ１１６と、コピーされたオリジナルコンテンツ１１６が診療報告書データ１２０に貼り付けられてなる部分データ１２２とを関連付けて保存する。
【００２２】
本発明の実施の形態に係る報告書作成支援装置１００は、医療の治験研究（薬事法認可申請のための研究）や臨床研究（医師等による医学発展のための研究）に関して作成される症例報告書（ＣＲＦ：Clinical Research Form）の作成と、その検証を支援する装置である。症例報告書は、電子カルテや看護記録等の原資料の記載に基づいて作成されるものであり、その記載内容は、電子カルテ１３０等の原資料の記載に基づいたものであることが厳しく検証される（ＳＤＶ：Source Data/Document Verification）。
【００２３】
その検証方法は、原資料と報告書の照合（正確か、漏れはないか、根拠は適格か等）だけでなく、原資料内の矛盾や未完部分も確認する。また、原資料の複数箇所に同じような情報が記載されている場合には、その全てを確認し、最終的に得られた情報に矛盾がないことも確認する。これらの作業は煩雑であり、たとえ熟練者であっても多くの時間と労力を要する。
【００２４】
そこで、本発明の報告書作成支援装置は、原資料の記載を元に報告書を作成する際の労力を削減するとともに、原資料との整合性を保つ工夫を行い、報告書と元となる原資料の記載との関連性を迅速に検証可能とする。これにより、検証の正確性を保ちつつ、検証の効率化を図ることができる。
【００２５】
ここで、電子カルテデータ１１０とは、図２に示すように、電子カルテ１３０の情報を含む。さらに、電子カルテデータ１１０は、電子カルテ１３０の他に、看護記録や、その他の診察、入院、検査に関連する各種の記録の書類の情報を含むことができる。これらの書類は、電子情報として記録されていて、病院端末（不図示）の画面上で閲覧でき、記録することもできる。なお、図２において、電子カルテデータ１１０は表形式で示されているが、これに限定されるものではない。
【００２６】
電子カルテ１３０などの原資料（電子カルテデータ１１０）は、病院の電子カルテシステムに保存されている。また、本実施形態では、作成される症例報告書１４０（診療報告書データ１２０）は、報告書作成支援装置１００内（後述する図３のコンピュータ６０のストレージ６６）に保存されるが、病院の医療システムの端末または、データセンタ等に保存されてもよい。本発明の各実施形態の報告書作成支援装置は、セキュリティを確保した状態で、電子カルテ１３０等の原資料（電子カルテデータ１１０）および症例報告書１４０（診療報告書データ１２０）にアクセスできることを前提とする。また、電子カルテ１３０（電子カルテデータ１１０）や症例報告書１４０（診療報告書データ１２０）にアクセスする際、電子カルテシステム、医療システム、またはデータセンタにアクセスするために、所定の認証手続きなどを行う必要があるが、本発明の本質には関わらないので詳細な説明は省略する。
【００２７】
電子カルテデータ１１０は、構造化されている情報であり、たとえば、患者ＩＤ、日付、データ項目、およびデータのフィールドを含むことができる。そして、本実施形態では、この構造化された電子カルテデータ１１０の各レコードに、それぞれ記事ＩＤ１１４が付される。
単位データ１１２は、電子カルテデータ１１０のデータフィールドの少なくとも１つのレコードに対応する。単位データ１１２は、電子カルテ１３０から選択指定されて（ステップＳ１）、コピーされ（ステップＳ２）、症例報告書１４０に編集可能に貼り付けされて転記される（ステップＳ３）対象となるデータである。電子カルテデータ１１０のデータフィールドの単位データ１１２のデータ形式は特に限定されない。たとえば、テキストデータ、数値データ、または画像データ等を含む。画像データは、電子カルテデータ１１０とは別に保存されている画像ファイルや、ＤＩＣＯＭ形式の医療画像データの格納場所とファイル名を示す情報であってもよい。
【００２８】
記事ＩＤ１１４は、電子カルテデータ１１０の各単位データ１１２に対応する、電子カルテ１３０の単位データ１１２のデータそのものを特定する情報であればよく、そのデータ形式等は、特に限定されない。また、記事ＩＤ１１４は、電子カルテデータ１１０の各単位データ１１２が、たとえば、電子カルテ１３０のどのページのどの場所に記載されているか等のデータ位置を示す情報であってもよい。また、記事ＩＤ１１４は、以下に例示されるように、複数のデータの寄せ集めでもよく、１つのデータ（記事ＩＤ１１４）として電子カルテデータ１１０内に存在しなくてもよい。
【００２９】
たとえば、記事ＩＤ１１４は、以下に例示される。
（ａ１）電子カルテデータ１１０を格納するデータベースのテーブル名、レコードＩＤ（またはプライマリキー）、およびカラム名
（ａ２）電子カルテ１３０や看護記録などの書類名、書類（電子カルテ１３０）のページ番号、および項目名
（ａ３）患者ＩＤ、日付、および項目名
（ａ４）シリアル番号
なお、シリアル番号から、電子カルテ１３０内の単位データ１１２を特定できる情報を導出できるものとする。
（ａ５）電子カルテ１３０内の単位データ１１２のデータの位置を示す情報でもよい。
（ａ６）上記（ａ１）、（ａ２）、（ａ３）等の情報を元に一意に求められるハッシュ値
【００３０】
記事ＩＤ１１４は、予め電子カルテデータ１１０の各単位データ１１２に付与されていてもよいし、診療報告書データ１２０の部分データ１２２に対応付けられる時に付与されてもよいし、個別のデータとして存在していなくてもよい。
後述する実施形態で説明するように、電子カルテデータ１１０は、電子カルテ１３０の情報を抽出し、各単位データ１１２に記事ＩＤ１１４を付与して生成される中間ファイルのデータを含むこともできる。
【００３１】
診療報告書データ１２０は、症例報告書（ＣＲＦ）１４０の情報を含み、さらに、他の診療に関する報告書の情報を含んでもよい。診療報告書データ１２０は、症例報告書１４０の各項目（各欄）に記入されるデータの情報を含む。本実施形態では、診療報告書データ１２０の部分データ１２２は、電子カルテデータ１１０の単位データ１１２とは異なり、必ずしも構造化されてなくてもよい。部分データ１２２は、症例報告書１４０内のどこかに含まれるデータであり、記事ＩＤ１１４と関連付けられるデータ範囲も特に限定されない。また、部分データ１２２のデータ形式も限定されず、たとえば、テキストデータ、数値データ、または画像データを含む。
【００３２】
症例報告書１４０は、電子カルテ１３０や看護記録等の原資料の記載を元に作成される。本実施形態では、電子カルテ１３０から単位データ１１２が症例報告書１４０に転記され（ステップＳ３）、さらに、症例報告書１４０上で転記されてなる部分データ１２２は編集することもできる（ステップＳ４）。そして、このようにして作成された症例報告書１４０は、電子カルテ１３０などの原資料の記載に基づいたものであることが検証される。
【００３３】
症例報告書１４０は、テンプレート、書式情報、および診療報告書データ１２０を元に、表示または印字出力することができる。症例報告書１４０は、たとえば、文書形式のファイル、表形式のファイルであってもよいし、ＨＴＭＬ（HyperText Markup Language）形式のファイルやＸＭＬ（Extensible Markup Language）形式のファイルや、専用のアプリケーションにより作成されるファイルであってもよく、特に限定されない。
図示していないが、作成された症例報告書１４０のファイルは、報告書作成支援装置１００または外部の記憶装置に記憶される。
【００３４】
ＩＤ取得部１０２は、構造化された電子カルテデータ１１０内における或る単位データ１１２を識別する記事ＩＤ１１４を取得する。ＩＤ取得部１０２は、対象となる単位データ１１２を電子カルテデータ１１０内で特定できる複数のデータ（レコード番号、フィールド属性情報等、上記（ａ１）〜（ａ３）のような）を寄せ集めることで、記事ＩＤ１１４を生成することもできる。
【００３５】
保存部１０４は、少なくとも記事ＩＤ１１４を診療報告書データ１２０内の部分データ１２２と関連付けて保存する。
コピー部１０６は、電子カルテデータ１１０内の単位データ１１２の一部または全部となるオリジナルコンテンツ１１６をコピーし、コピーされたオリジナルコンテンツ１１６を診療報告書データ１２０内に編集可能な状態で貼り付ける。オリジナルコンテンツ１１６は、テキストデータ、数値データ、または画像データを含む。画像データの場合には、オリジナルコンテンツ１１６が保存されている格納場所を示すアドレス情報、パス情報、またはリンク情報等であってもよい。
【００３６】
そして、保存部１０４は、記事ＩＤ１１４およびオリジナルコンテンツ１１６と、コピーされたオリジナルコンテンツ１１６が診療報告書データ１２０に貼り付けられてなる部分データ１２２とを関連付けて保存する。保存されたメタ情報１２４（記事ＩＤ１１４およびオリジナルコンテンツ１１６）は、ユーザにより編集できないように保護されるものとする。本実施形態では、症例報告書１４０の編集画面上にはメタ情報１２４は通常は表示されないものとする。なお、本実施形態では、部分データ１２２が編集操作により全て削除された場合には、関連付けられているメタ情報１２４も削除されるものとするが、本発明は、履歴情報として残す形態も排除しない。
【００３７】
記事ＩＤ１１４とオリジナルコンテンツ１１６（メタ情報１２４）を診療報告書データ１２０の部分データ１２２と関連付けて保存する形態は、以下の形態が考えられるが、これに限定されない。
（ｂ１）診療報告書データ１２０内の部分データ１２２の隣接する位置に埋め込む形態
たとえば、症例報告書１４０のＨＴＭＬファイル内の部分データ１２２の後にタグで囲んでメタ情報１２４を埋め込んでもよい。あるいは、症例報告書１４０の文書ファイル内の部分データ１２２の位置にコメントとして埋め込んでもよい。
（ｂ２）別の場所に、その部分データ１２２を識別するＩＤ情報とともに保存する形態
たとえば、症例報告書１４０内の部分データ１２２を識別するＩＤ情報とメタ情報１２４を関連付けてテーブルとして保存してもよい。ＩＤ情報は、症例報告書１４０内の部分データ１２２の位置を示す情報であってもよい。
【００３８】
また、上記保存のタイミングや保存先は、特に限定されないが、例として、まず、メタ情報１２４と部分データ１２２の関連付けがなされる度に、図３のメモリ６４に一時的にメタ情報１２４と部分データ１２２が関連付けて記憶される。そして、一時的にメモリ６４に記憶されている情報に基づいて、たとえば、上記（ｂ１）のファイル（文書ファイルやＨＴＭＬファイル）または上記（ｂ２）のテーブルを、図３のストレージ６６または他の記録媒体等に、以下のタイミングで保存する。以下のタイミングは、複数を組み合わせることもできる。
（ｂ３）定期的に自動保存
（ｂ４）作業終了前（たとえば、ファイルやテーブルを閉じる前や後述するビューア、エディタ、ブラウザ、または専用プログラムによる報告書作成作業を終了する前等）に自動保存
（ｂ５）作業を終了する際に最終保存されていない情報があるときにはユーザにその旨を通知して保存の要否を確認後に保存が必要な場合に保存
（ｂ６）作業途中におけるユーザによる保存操作に応じて操作毎に保存
【００３９】
図３は、本実施形態の報告書作成支援装置１００を実現するコンピュータ６０の構成例を示すブロック図である。
コンピュータ６０は、たとえば、パーソナルコンピュータやサーバコンピュータ、およびそれらに相当するコンピュータ装置である。本実施形態の報告書作成支援装置１００を実現するコンピュータ６０は、たとえば、病院内のＨＩＳ（Hospital Information System）端末であってもよい。
コンピュータ６０は、ＣＰＵ（Central Processing Unit）６２、メモリ６４、メモリ６４にロードされた図１の構成要素を実現するプログラム８０、そのプログラム８０を格納するハードディスクなどのストレージ６６、Ｉ／Ｏ（Input/Output）６８、ネットワーク３との接続用インタフェース（通信Ｉ／Ｆ（InterFace）７０）を備える。ＣＰＵ６２、メモリ６４、ストレージ６６、Ｉ／Ｏ６８、および通信Ｉ／Ｆ７０は、バス６９を介して互いに接続され、ＣＰＵ６２により報告書作成支援装置１００の各要素および装置全体が制御される。
また、コンピュータ６０は、キーボードやマウス等の入力装置７２やディスプレイなどの表示装置７４やプリンタ等の出力装置（不図示）と接続されてもよい。
【００４０】
図１の本実施形態の報告書作成支援装置１００の各構成要素は、図３のコンピュータ６０のハードウェアとソフトウェアの任意の組合せによって実現される。そして、その実現方法、装置にはいろいろな変形例があることは、当業者には理解されるところである。以下説明する各実施形態の報告書作成支援装置を示す機能ブロック図は、ハードウェア単位の構成ではなく、論理的な機能単位のブロックを示している。また、各図において、本発明の本質に関わらない部分の構成については省略してあり、図示されていない。
【００４１】
図３のコンピュータ６０のＣＰＵ６２が、ストレージ６６または外部メディア（不図示）に記憶されるプログラム８０をメモリ６４に読み出して実行することにより、報告書作成支援装置１００の図１の各ユニットの各機能を実現することができる。
【００４２】
本実施形態のコンピュータプログラム８０は、報告書作成支援装置１００を実現させるためのコンピュータ６０に、構造化された電子カルテデータ１１０内における或る単位データ１１２を識別する記事ＩＤ１１４を取得する手順、記事ＩＤ１１４を診療報告書データ１２０内の部分データ１２２と関連付けて保存する手順、を実行させるように記述されている。
【００４３】
さらに、本実施形態のプログラム８０は、コンピュータ６０に、電子カルテデータ１１０内の単位データ１１２の一部または全部となるオリジナルコンテンツ１１６をコピーする手順、コピーされたオリジナルコンテンツ１１６を診療報告書データ１２０内に編集可能な状態で貼り付ける手順、記事ＩＤ１１４およびオリジナルコンテンツ１１６と、コピーされたオリジナルコンテンツ１１６が診療報告書データ１２０に貼り付けられてなる部分データ１２２とを関連付けて保存する手順、を実行させるように記述されている。
【００４４】
本実施形態のコンピュータプログラム８０は、コンピュータ６０で読み取り可能な記録媒体（不図示）に記録されてもよい。記録媒体は特に限定されず、様々な形態のものが考えられる。また、プログラム８０は、記録媒体からコンピュータ６０のメモリ６４にロードされてもよいし、ネットワーク３を通じてコンピュータ６０にダウンロードされ、メモリ６４にロードされてもよい。
【００４５】
コンピュータプログラム８０を記録する記録媒体は、非一時的な有形のコンピュータ６０が使用可能な媒体を含み、その媒体に、コンピュータ６０が読み取り可能なプログラムコードが埋め込まれる。コンピュータプログラム８０が、コンピュータ６０上で実行されたとき、コンピュータ６０に、報告書作成支援装置１００を実現する以下の制御方法を実行させる。
【００４６】
このように構成された本実施形態の報告書作成支援装置１００のデータ処理方法について、以下説明する。
図４は、本実施形態の報告書作成支援装置１００の動作の一例を示すフローチャートである。
本発明の実施の形態に係るデータ処理方法は、報告書作成支援装置１００のデータ処理方法であり、報告書作成支援装置１００を実現するコンピュータ６０により実行されるデータ処理方法である。
本実施形態のデータ処理方法は、報告書作成支援装置１００が、構造化された電子カルテデータ１１０内における或る単位データ１１２を識別する記事ＩＤ１１４を取得し（ステップＳ０１０１）、記事ＩＤ１１４を診療報告書データ１２０内の部分データ１２２と関連付けて保存する（ステップＳ１０３）。
【００４７】
次に、本実施形態の報告書作成支援装置１００を用いて電子カルテ１３０から症例報告書１４０を作成する手順について説明する。
図５は、本実施形態の報告書作成支援装置１００を用いて電子カルテ１３０から症例報告書１４０を作成する手順の一例を示すフローチャートである。図６は、本実施形態の報告書作成支援装置１００を用いて電子カルテ１３０から症例報告書１４０を作成する際の画面操作例を説明するための図である。以下、図１、図５、および図６を用いて説明する。
なお、図５において各ステップには、ユーザの操作手順を記載しているが、［角括弧］内には、報告書作成支援装置１００の各ユニットによる処理を記載している。
【００４８】
まず、報告書作成支援装置１００において、電子カルテ１３０を開き、図３の表示装置７４に画面表示する（ステップＳ１１１）。さらに、症例報告書１４０を新規作成または既存の症例報告書１４０のファイルを開き、図３の表示装置７４に画面表示する（ステップＳ１１３）。なお、電子カルテ１３０を閲覧する際、電子カルテシステムにアクセスするために、所定の認証手続きなどを行う。
【００４９】
たとえば、電子カルテ１３０および症例報告書１４０は、それぞれビューアおよびエディタを用いて報告書作成支援装置１００を実現するコンピュータ６０の表示装置７４に表示される。電子カルテ１３０と症例報告書１４０は、同じディスプレイ画面上に左右や上下に並べて表示できてもよい。ビューア機能およびエディタ機能は、本発明の報告書作成支援装置が有してもよいし、汎用のビューア、エディタ、ブラウザ等のアプリケーションを使用し、さらに本発明の機能を追加してもよく、特に限定されない。
ステップＳ１１１では、症例報告書１４０を作成する対象となる患者と、期間を指定して電子カルテ１３０を開いて画面表示する。
【００５０】
そして、図６（ａ）に示すように、ユーザは、電子カルテ１３０のあるデータをマウスポインタ１５０で範囲選択し、マウスの右クリック等の操作メニュー１５２のコピーを選ぶ操作を行う（ステップＳ１１５）。このとき、報告書作成支援装置１００において、ＩＤ取得部１０２が、選択された電子カルテデータ１１０の単位データ１１２の記事ＩＤ１１４を取得する。そして、コピー部１０６が、単位データ１１２のオリジナルコンテンツ１１６をコピーする（ステップＳ１１５）。
【００５１】
ここではユーザ操作により「患者は頭痛と吐き気を訴えた」と記載されている所見欄の情報のうち、一部分の「患者は頭痛と吐き気」が選択されている。しかし、本実施形態において、コピー部１０６は、電子カルテデータ１１０の単位データ１１２に対応する、所見欄の全部の記載である「患者は頭痛と吐き気を訴えた」をコピーする。なお、ユーザ操作により選択された範囲のみをコピー対象とするか、選択された範囲を含む、単位データ１１２の全部をコピー対象とするかは、たとえば、ユーザ設定により変更できてもよいし、コピー時に指定できてもよい。
【００５２】
そして、図６（ｂ）に示すように、症例報告書１４０において、ユーザは、ステップＳ１１５でコピーした内容を貼り付けする場所をマウスポインタ１５０で選択し、マウスの右クリック等の操作メニュー１５２の貼り付けを選ぶ操作を行う（ステップＳ１１７）。この操作により、コピー部１０６が、図６（ｃ）に示すように、症例報告書１４０の図６（ｂ）で選択された欄に、「患者は頭痛と吐き気を訴えた」との記載を編集可能な状態で貼り付ける。なお、図６（ｃ）の１５４はカーソルである。
このとき、保存部１０４が、記事ＩＤ１１４とオリジナルコンテンツ１１６とをメタ情報１２４として診療報告書データ１２０の部分データ１２２（ここでは、編集前の部分データを１２２ａとする）に関連付けて保存する。本実施形態では、メタ情報１２４は、症例報告書１４０には編集画面には表示されない。
【００５３】
次に、図６（ｄ）に示すように、ユーザがコピーされた記載内容を編集してもよい（ステップＳ１１９）。図では、「強い」という形容詞が追加され、「患者は」と「を訴えた」が削除されている。なお、編集後の部分データ１２２を１２２ｂとする。ユーザが部分データ１２２ｂの編集を終え、次の項目選択等の操作を行うと（ステップＳ１２１のＹＥＳ）、ステップＳ１２３に進む。ここで、次の項目選択の操作は、たとえば、カーソル１５４の移動操作等であり、タブキーや矢印キーによる移動操作、マウス等のポインティングデバイスによる選択操作、あるいは、アイコンや操作ボタンによる移動または選択操作等、様々な操作方法が考えられ、特に限定されない。なお、「強い」という形容詞の追加も、電子カルテ１３０等の原資料の情報に基づいて行われるべきであり、その記載の根拠となる単位データ１１２の記事ＩＤ１１４も後で追加できるのが好ましい。この記事ＩＤ１１４の追加処理については後述する実施形態で説明する。
【００５４】
保存部１０４が、記事ＩＤ１１４とオリジナルコンテンツ１１６とをメタ情報１２４として、診療報告書データ１２０の編集後の部分データ１２２ｂ「頭痛と強い吐き気」と関連付けて保存する（ステップＳ１２３）。図６（ｄ）に示すように、部分データ１２２ｂは編集後の内容に変更になっているが、メタ情報１２４に含まれるオリジナルコンテンツ１１６は、元データのまま維持されていることがわかる。
【００５５】
なお、電子カルテ１３０の画像データを症例報告書１４０に転記することもできる。その場合、ステップＳ１１５において、ユーザは、電子カルテ１３０のある画像データをマウスポインタ１５０で選択し、マウスの右クリック等の操作メニュー１５２のコピーを選ぶ操作を行うことができる。このとき、オリジナルコンテンツ１１６として、コピー部１０６により画像データそのものがコピーされてもよいし、画像データの格納場所を示す情報がコピーされてもよい。また、ステップＳ１１７において、保存部１０４により、画像データそのものが部分データ１２２に関連付けて保存されてもよいし、画像データの格納場所を示す情報が部分データ１２２に関連付けて保存されてもよい。
そして、症例報告書１４０の作成が終了し、データ入力操作の確定操作をユーザが行うと（ステップＳ１２５のＹＥＳ）、報告書作成手順を終了する。なお、確定操作前は（ステップＳ１２５のＮＯ）、ステップＳ１１５〜ステップＳ１２３の処理を繰り返す。
【００５６】
なお、この例では、保存部１０４により、ステップＳ１１４とステップＳ１２３でそれぞれデータ保存を行った後、データ入力操作の確定操作により、報告書作成を終了する手順を示しているが、上述したように、データ保存の手順はこれに限定されない。たとえば、ステップＳ１１４およびステップＳ１２３では、各データは図３のメモリ６４の作業領域に一時的に記憶された後、ステップＳ１２５で、確定時に症例報告書１４０のファイルやテーブルとして図３のストレージ６６や他の記録媒体に記憶されてもよい。また、ステップＳ１２５での報告書作成処理終了時のデータ保存の他に、たとえば、報告書作成作業の途中において、診療報告書データ１２０のストレージ６６等への保存の操作を受け付ける度に保存したり、定期的に自動保存したりすることもできる。
【００５７】
このようにして、症例報告書１４０が作成され、症例報告書１４０の診療報告書データ１２０が保存される。このように診療報告書データ１２０に症例報告書１４０の内容の元となる電子カルテ１３０の記事ＩＤ１１４とオリジナルコンテンツ１１６がメタ情報１２４として関連付けて記憶される。これにより、これらのメタ情報１２４を元に、症例報告書１４０の記載が電子カルテ１３０の記載に基づくものであることの検証を行うことができる。
【００５８】
以上説明したように、本実施形態の報告書作成支援装置１００において、症例報告書１４０を電子カルテ１３０の記載を元に作成する際、コピー部１０６が、電子カルテデータ１１０内の単位データ１１２（オリジナルコンテンツ１１６）をコピーし、ＩＤ取得部１０２がその記事ＩＤ１１４を取得する。さらに、コピー部１０６が、コピーされたオリジナルコンテンツ１１６を診療報告書データ１２０内に編集可能な状態で貼り付け、保存部１０４が、診療報告書データ１２０の編集後の部分データ１２２ｂをメタ情報１２４（記事ＩＤ１１４とオリジナルコンテンツ１１６）と関連付けて保存する。
【００５９】
これにより、症例報告書１４０の内容は、電子カルテ１３０の記載を元に簡単な操作で転記して作成することができる。かつ、症例報告書１４０の内容がユーザ編集等により変更された場合でも、診療報告書データ１２０には、編集後の部分データ１２２ｂに対応する電子カルテデータ１１０の単位データ１１２の記事ＩＤ１１４およびオリジナルコンテンツ１１６がメタ情報１２４として関連付けて保存できる。したがって、症例報告書１４０の内容が、電子カルテ１３０のどのデータを元に作成されたものかを、検証することができる。
【００６０】
（第１の実施の形態の変形態様１）
以下、第１の実施の形態の変形態様１について説明する。
本実施形態の報告書作成支援装置は、上記実施形態の報告書作成支援装置１００とは、電子カルテデータ１１０内の複数の単位データ１１２のオリジナルコンテンツ群をコピーして、診療報告書データ１２０に編集可能な状態で貼り付けた場合に、複数の記事ＩＤ１１４を取得し、複数の記事ＩＤ１１４を部分データ１２２と関連付けて保存する構成をさらに有する点で相違する。
本実施形態の報告書作成支援装置は、上記実施形態の報告書作成支援装置１００と同じ構成を有するので、以下、図１を用いて説明する。
【００６１】
本実施形態の報告書作成支援装置１００において、コピー部１０６は、電子カルテデータ１１０内の複数の単位データ１１２の各々における一部または全部となるオリジナルコンテンツ群をコピーし、コピーされたオリジナルコンテンツ群を診療報告書データ１２０内に編集可能な状態で貼り付ける。
ＩＤ取得部１０２は、オリジナルコンテンツ群に対応する複数の記事ＩＤ１１４を取得する。
保存部１０４は、取得された複数の記事ＩＤ１１４を、コピーされた複数のオリジナルコンテンツ群が診療報告書データ１２０内に貼り付けられてなる部分データ１２２と関連付けて保存する。
【００６２】
図７は、本実施形態の報告書作成支援装置１００における電子カルテ１３０から症例報告書１４０へのデータ転記時の処理方法を説明するための図である。
図７（ａ）に示すように、電子カルテ１３０内の所見と血圧の２つの単位データ１１２がユーザ操作により選択されたとする。マウスの右クリックで操作メニュー１５２のコピーが選択されると、ＩＤ取得部１０２が、選択された２つの単位データ１１２の記事ＩＤ１１４を取得する。さらに、コピー部１０６が、２つの単位データ１１２のオリジナルコンテンツ１１６をコピーし、症例報告書１４０の記入欄に編集可能な状態で貼り付ける。
このとき、保存部１０４が、２つの単位データ１１２の記事ＩＤ１１４とオリジナルコンテンツ１１６をそれぞれ関連付けてメタ情報１２４とし、診療報告書データ１２０の部分データ１２２ｂと関連付けて保存する。
【００６３】
このように、本実施形態の報告書作成支援装置１００において、電子カルテデータ１１０内の複数の単位データ１１２を選択して症例報告書１４０を作成した場合にも、保存部１０４により、対応する診療報告書データ１２０の部分データ１２２には、複数の単位データ１１２の記事ＩＤ１１４とオリジナルコンテンツ１１６がそれぞれ関連付けて保存される。したがって、原資料の複数の情報を元に症例報告書１４０の内容を記載した場合にも、複数の原資料の情報を保存できるので、報告書作成の効率もよく、かつ、原資料との検証を正確に行うことができる。
【００６４】
（第１の実施の形態の変形態様２）
以下、第１の実施の形態の変形態様２について説明する。
本実施形態では、上記実施形態の報告書作成支援装置１００において、電子カルテデータ１１０内の同一の単位データ１１２の同一オリジナルコンテンツを複数、診療報告書データ１２０の１つの部分データ１２２に重複してコピーされた場合の処理について説明する。
本実施形態の報告書作成支援装置は、上記実施形態の報告書作成支援装置１００と同じ構成を有するので、以下、図１を用いて説明する。
【００６５】
本実施形態の報告書作成支援装置１００において、保存部１０４は、コピー部１０６により、電子カルテデータ１１０内の同一単位データの一部または全部となる同一のオリジナルコンテンツ１１６が複数、前記診療報告書データ内の１つの部分データ１２２に重複してコピーされた場合、１つの記事ＩＤ１１４および１つのオリジナルコンテンツ１１６と、１つの部分データ１２２とを関連付けて保存する。
【００６６】
図８は、本実施形態の報告書作成支援装置１００における電子カルテ１３０から症例報告書１４０へのデータ転記時の処理方法を説明するための図である。
図８（ａ）に示すように、電子カルテ１３０内の所見の単位データ１１２がユーザ操作により選択されて、コピーされたとする。そして、図８（ｂ）に示すように、症例報告書１４０の記入欄に、２つの単位データ１１２が重複して貼り付けされたとする。
この場合に、保存部１０４は、同一の単位データ１１２からコピーされた記載が重複して部分データ１２２に貼り付けされた場合にも、その記事ＩＤ１１４とオリジナルコンテンツ１１６は１つだけを、１つの部分データ１２２と関連付けて保存する。
なお、症例報告書１４０の異なる場所に貼り付けされた場合には、その部分データ１２２には、別途、記事ＩＤ１１４とオリジナルコンテンツ１１６が関連付けて保存される。
【００６７】
このように、本実施形態の報告書作成支援装置１００において、電子カルテデータ１１０内の同一の単位データ１１２をコピーして、診療報告書データ１２０の１つの部分データ１２２に重複して複数の単位データ１１２を貼り付けた場合でも、保存部１０４により、１つの記事ＩＤ１１４と１つのオリジナルコンテンツ１１６が１つの部分データ１２２に関連付けて保存される。これにより、情報を簡素化でき、かつ、メモリ使用容量を削減できる。
【００６８】
（第１の実施の形態の変形態様３）
以下、第１の実施の形態の変形態様３について説明する。
図９は、本実施形態の報告書作成支援装置１６０の構成を論理的に示す機能ブロック図である。
本実施形態の報告書作成支援装置１６０は、上記実施形態の報告書作成支援装置１００とは、症例報告書１４０を作成または検証を行う画面において、原資料の情報となるメタ情報１２４（記事ＩＤ１１４およびオリジナルコンテンツ１１６）をリクエストに応じて表示できる構成をさらに有する点で相違する。
本実施形態の報告書作成支援装置１６０は、図１の上記実施形態と同様なＩＤ取得部１０２と、保存部１０４と、コピー部１０６と、を備えるとともに、さらに、メタ情報表示制御部１６２を備える。
【００６９】
本実施形態の報告書作成支援装置１６０は、診療報告書データ１２０内の部分データ１２２を表示するとともに、当該部分データ１２２に関連付けられている記事ＩＤ１１４およびオリジナルコンテンツ１１６の少なくともいずれか一方を含むメタ情報は非表示とするメタ情報表示制御部１６２をさらに備える。
メタ情報表示制御部１６２は、リクエストに応じて、メタ情報１２４を当該部分データ１２２に対応付けて編集不可および視認可能な状態で表示する。
【００７０】
本実施形態の報告書作成支援装置１６０において、メタ情報表示制御部１６２は、図３の表示装置７４に、症例報告書１４０を画面表示する。表示される症例報告書１４０は、部分データ１２２が編集可能な状態であってもよいし、編集不可で閲覧のみ可能な状態であってもよい。
【００７１】
このように構成された本実施形態の報告書作成支援装置１６０の動作について以下説明する。
図１０は、本実施形態の報告書作成支援装置１６０の動作を示すフローチャートである。図１１は、本実施形態の報告書作成支援装置１６０の症例報告書１４０の表示例を示す図である。以下、図９〜図１１を用いて説明する。
まず、報告書作成支援装置１６０において、図３の表示装置７４に、症例報告書１４０の編集画面または閲覧画面が表示されているとする。このとき、メタ情報表示制御部１６２が、診療報告書データ１２０内の部分データ１２２を症例報告書１４０の画面に表示する（ステップＳ１３１）。図１１（ａ）の例では、メタ情報表示制御部１６２は、症例報告書１４０の表示画面内の部分データ１２２の表示部分に、メタ情報１２４を表示するためのリンク１６４を付す。本図に示すように、通常、症例報告書１４０の表示画面には部分データ１２２のメタ情報１２４は表示されていない。しかし、ユーザが部分データ１２２のリンク１６４を選択してクリックすると（ステップＳ１３３のＹＥＳ）、メタ情報表示制御部１６２が、操作に呼応して、図１１（ｂ）に示すように、選択されたリンク１６４の部分データ１２２のメタ情報１２４を吹き出し表示部１６６に記載して部分データ１２２に対応付けて表示する（ステップＳ１３５）。
【００７２】
この例では、リンク１６４により吹き出し表示部１６６を表示する形態としたが、メタ情報１２４の表示リクエスト方法および表示方法はこれに限定されず、様々な形態が考えられ、以下に例示される。以下の表示リクエスト方法（ｃ１）〜（ｃ３）および表示方法（ｄ１）〜（ｄ３）は、矛盾のない範囲で適宜組み合わせることができる。
（ｃ１）リンク１６４の選択（クリック）により表示リクエストを受け付ける。
（ｃ２）アイコン、ボタン等の押下（クリック）により表示リクエストを受け付ける。
（ｃ３）部分データ１２２上にマウスオーバーすることにより表示リクエストを受け付ける。
（ｄ１）吹き出し表示する。
（ｄ２）ダイアログボックス、またはポップアップウインドウ等で表示する。
（ｄ３）部分データ１２２に対応付けて編集不可の状態で、リクエストを受け付ける前から、編集不可であることが分かるように、表示色、色の濃さ（薄く）、およびサイズ（小さく）等を変えたり、網掛けしたりして表示する。
【００７３】
以上説明したように、本実施形態の報告書作成支援装置１６０において、メタ情報表示制御部１６２が、部分データ１２２のメタ情報１２４をリクエストに応じて非表示状態から編集不可および視認可能な状態で表示する。これにより、症例報告書１４０に記載されている内容の根拠となる原資料の内容を簡単な操作で確認することができるので、検証作業の効率化が図られる。
【００７４】
（第１の実施の形態の変形態様４）
以下、第１の実施の形態の変形態様４について説明する。
図１２は、本実施形態の報告書作成支援装置１７０の構成を論理的に示す機能ブロック図である。
本実施形態の報告書作成支援装置１７０は、上記実施形態の報告書作成支援装置１００とは、症例報告書１４０に記載されたデータの元となる原資料における対応箇所を関連付けて表示できる構成をさらに有する点で相違する。
本実施形態の報告書作成支援装置１７０は、図１の上記実施形態と同様なＩＤ取得部１０２と、保存部１０４と、コピー部１０６と、を備えるとともに、さらに、指定操作受付部１７２と、対応データ特定部１７４と、対応データ表示部１７６とを備える。
【００７５】
本実施形態の報告書作成支援装置１７０は、診療報告書データ１２０内の部分データ１２２の指定操作を受け付ける指定操作受付部１７２と、診療報告書データ１２０内の、受け付けられた指定操作により指定される部分データ１２２に関連付けられた記事ＩＤ１１４に基づいて、当該部分データ１２２に対応する、電子カルテデータ１１０内の単位データ１１２を特定する対応データ特定部１７４と、診療報告書データ１２０内の指定される部分データ１２２、および、電子カルテデータ１１０内の特定された単位データ１１２を、それぞれ関連がわかるように表示する対応データ表示部１７６と、をさらに備える。
【００７６】
指定操作方法は特に限定されず、症例報告書１４０の表示画面上で、少なくとも１つの部分データ１２２が記入されている場所（表のセル）を選択して少なくとも１つの部分データ１２２を指定もよい。あるいは、部分データ１２２の少なくとも一部を範囲指定して選択して１つの部分データ１２２を指定してもよいし、複数の部分データ１２２を含むように範囲指定して選択して複数の部分データ１２２を指定してもよい。
【００７７】
図１３（ａ）に示すように、図３の表示装置７４の画面上に電子カルテ１３０と症例報告書１４０が表示されている状態で、ユーザが操作する。たとえば、ユーザが、マウスポインタ１５０で、症例報告書１４０内の診療報告書データ１２０のある部分データ１２２を選択してクリックすると、指定操作受付部１７２が部分データ１２２の指定操作を受け付ける。
【００７８】
そして、対応データ特定部１７４が、指定された部分データ１２２に関連付けられた記事ＩＤ１１４に基づいて、部分データ１２２に対応する、電子カルテデータ１１０内の単位データ１１２を特定する。
そして、対応データ表示部１７６が、部分データ１２２に対応する、電子カルテデータ１１０内の単位データ１１２を、電子カルテ１３０の表示画面上で関連が分かるように表示する。図１１（ａ）では、電子カルテデータ１１０内の２つの単位データ１１２が特定され、電子カルテ１３０の表示画面の単位データ１１２が、強調表示される。
【００７９】
また、図１１（ｂ）に示すように、電子カルテ１３０の複数ページに対応する単位データ１１２が存在する場合にも、各ページの単位データ１１２が強調表示される。また、電子カルテ１３０の他のページ、または、電子カルテ１３０以外の看護記録等に、関連する単位データ１１２が存在する場合には、それぞれ別ウインドウが開いて該当箇所を提示してもよい。あるいは、他にも単位データ１１２が複数存在していることがユーザに分かるように、ガイダンスを表示してもよい。あるいは、複数の単位データ１１２を順次表示させるための操作ボタン、アイコン、操作メニュー等を表示してもよい。
【００８０】
指定操作受付部１７２による単位データ１１２の強調表示は、単位データ１１２の、文字または背景のハイライト表示、文字のホールド表示、文字または背景の色変え表示、文字または背景の点滅表示、文字または背景の３Ｄ表示、あるいは、アイコン表示や注釈の吹き出し表示等を含む。
また、特定された単位データ１１２を示す情報（たとえば、書類名とページ番号と項目名のセット、患者ＩＤと日付と項目名のセット、または、記事ＩＤ１１４でもよい）を別画面（ウインドウ）で部分データ１２２と関連付けてリスト表示し、印字出力できてもよい。
【００８１】
この構成によれば、症例報告書１４０の表示画面上で、部分データ１２２を指定すると、指定操作受付部１７２が指定操作を受け付け、対応データ特定部１７４が、関連のある単位データ１１２を特定する。そして、対応データ表示部１７６が部分データ１２２と単位データ１１２の関連が分かるように表示できるので、検証作業の効率化が図られる。
【００８２】
（第２の実施の形態）
次に、本発明の第２の実施の形態に係る報告書作成支援装置２００およびデータ処理方法について、以下説明する。なお、本実施形態のプログラムは、上記実施形態と同様に、報告書作成支援装置２００のデータ処理方法を少なくとも１つのコンピュータに実行させるものであり、本実施形態での詳細な説明は省略する。
【００８３】
図１４は、本発明の実施の形態に係る報告書作成支援装置２００の構成を論理的に示す機能ブロック図である。
本実施形態の報告書作成支援装置２００は、上記実施形態の報告書作成支援装置１００とは、診療報告書データ１２０内の部分データ１２２に後から、対応する電子カルテデータ１１０内の単位データ１１２を指定し、記事ＩＤ１１４を付与できる構成をさらに有する点で相違する。
本実施形態の報告書作成支援装置２００は、上記または後述する他の実施の形態およびそれらの変形態様の少なくともいずれか１つの構成を組み合わせることもできる。
【００８４】
本実施形態の報告書作成支援装置２００は、診療報告書データ１２０内の部分データ１２２の第１指定操作を受け付ける第１指定操作受付部２０２と、電子カルテデータ１１０内の単位データ１１２の第２指定操作を受け付ける第２指定操作受付部２０４と、をさらに備える。
ＩＤ取得部１０２は、受け付けられた第２指定操作により指定される単位データ１１２に関する記事ＩＤ１１４を取得する。保存部１０４は、取得された記事ＩＤ１１４を受け付けられた第１指定操作により指定される部分データ１２２と関連付けて保存する。
【００８５】
次に、本実施形態の報告書作成支援装置２００を用いて症例報告書１４０の記載内容に電子カルテ１３０内の記載箇所の指定を後から付与する手順について説明する。
図１５は、本実施形態の報告書作成支援装置２００を用いて症例報告書１４０の記載内容に電子カルテ１３０内の記載箇所の指定を後から付与する手順の一例を示すフローチャートである。図１６は、本実施形態の報告書作成支援装置２００を用いて症例報告書１４０の記載内容に電子カルテ１３０内の記載箇所の指定を後から付与する際の画面操作例を説明するための図である。以下、図１４〜図１６を用いて説明する。
【００８６】
図１５のフローチャートは、上記実施形態の図５のフローチャートと同様なステップＳ１１１、ステップＳ１１３、および、ステップＳ１２５を含む。ステップＳ１１３で、症例報告書１４０を開いて図３の表示装置７４に画面表示した後、ユーザは図３の入力装置７２のキーボード等を用いて、症例報告書１４０の編集操作を行う。たとえば、図１６（ａ）に示すように、「頭痛と強い吐き気」と入力する（ステップＳ２１１）。編集操作を終了したら（ステップＳ２１３のＹＥＳ）、ユーザは、図１６（ｂ）に示すように、入力した症例報告書１４０の部分データ１２２をマウスポインタ１５０で選択し、マウスの右クリック等の操作メニュー１５２のソース情報選択を選ぶ操作を行う（ステップＳ２１５）。
このとき、第１指定操作受付部２０２が、診療報告書データ１２０内の部分データ１２２の第１指定操作を受け付ける。
【００８７】
次に、ユーザは、図１６（ｃ）に示すように、診療報告書データ１２０の部分データ１２２のソース情報として選択する電子カルテ１３０の記載を少なくとも１つマウスポインタ１５０で選択し、マウスの右クリック等の操作メニュー１５２のソース情報指定を選ぶ操作を行う（ステップＳ２１７）。
ここでは、図１６（ｃ）に示すように、電子カルテ１３０の所見欄の「患者は頭痛と吐き気を訴えた」の記載が選択される。このとき、第２指定操作受付部２０４が、電子カルテデータ１１０内の単位データ１１２の第２指定操作を受け付ける。
【００８８】
そして、ＩＤ取得部１０２が、第２指定操作により指定された電子カルテ１３０内の所見欄の記載に対応する単位データ１１２の記事ＩＤ１１４を取得する。そして、コピー部１０６が、電子カルテ１３０内の所見欄の記載に対応する単位データ１１２のオリジナルコンテンツ１１６（テキストデータの「患者は頭痛と吐き気を訴えた」）をコピーする。さらに、保存部１０４が、記事ＩＤ１１４とコピーされたオリジナルコンテンツ１１６とをメタ情報１２４ａとして、受け付けられた第１指定操作により指定される診療報告書データ１２０の部分データ１２２と関連付けて保存する。図１６（ｃ）に示すように、メタ情報１２４ａが、図１６（ｂ）の症例報告書１４０の第１指定操作により指定された部分データ１２２に関連付けて保存される。
【００８９】
さらに、続けて、診療報告書データ１２０の部分データ１２２のソース情報として選択する電子カルテ１３０の記載を選択してもよく（ステップＳ２１９のＮＯ）、ステップＳ２１７に戻る。
【００９０】
次に、ユーザが、図１６（ｄ）に示すように、診療報告書データ１２０の部分データ１２２のソース情報として選択する電子カルテ１３０の記載をさらにマウスポインタ１５０で選択し、マウスの右クリック等の操作メニュー１５２のソース情報指定を選ぶ操作を行う（ステップＳ２１７）。
ここでは、図１６（ｄ）に示すように、看護記録１３２の記録欄の「強い吐き気有り」の記載が選択される。このとき、第２指定操作受付部２０４が、電子カルテデータ１１０内の単位データ１１２の第２指定操作を受け付ける。
【００９１】
そして、ＩＤ取得部１０２が、第２指定操作により指定された看護記録１３２の記録欄の記載に対応する単位データ１１２の記事ＩＤ１１４を取得する。そして、コピー部１０６が、看護記録１３２の記録欄の記載に対応する単位データ１１２のオリジナルコンテンツ１１６をコピーする。さらに、保存部１０４が、記事ＩＤ１１４とコピーされたオリジナルコンテンツ１１６とをメタ情報１２４ｂとして、受け付けられた第１指定操作により指定される診療報告書データ１２０の部分データ１２２と関連付けて保存する。このとき、図１６（ｄ）に示すように、メタ情報１２４ｂが、図１６（ｂ）の症例報告書１４０の第１指定操作により指定された部分データ１２２に関連付けて保存される。
【００９２】
なお、第２指定操作受付部２０４は、電子カルテデータ１１０の単位データ１１２が画像データの場合も第２指定操作を受け付けることができる。この場合は、オリジナルコンテンツ１１６として、コピー部１０６により画像データそのものがコピーされてもよいし、画像データの格納場所を示す情報がコピーされてもよい。また、保存部１０４により、画像データそのものが部分データ１２２に関連付けて保存されてもよいし、画像データの格納場所を示す情報が部分データ１２２に関連付けて保存されてもよい。
そして、症例報告書１４０のソース情報の指定を終了し、確定操作をユーザが行うと（ステップＳ２１９のＹＥＳかつステップＳ１２５のＹＥＳ）、報告書作成手順を終了する。
【００９３】
このように、図１６（ｂ）の症例報告書１４０の欄に入力された「頭痛と強い吐き気」の記載は、電子カルテ１３０の「患者は頭痛と吐き気を訴えた」との記載と、看護記録１３２の「強い吐き気有り」との記載の両方の情報を元に作成されたことが指定できる。
【００９４】
本実施形態では、症例報告書１４０の転記位置を指定する第１指定操作と、電子カルテ１３０の単位データ１１２を指定する第２指定操作は、一連の操作で順次行われることで、関連付けられる。
他の例では、ユーザに操作を指示するメッセージをダイアログウインドウで表示してもよい。
【００９５】
以上説明したように、本実施形態の報告書作成支援装置２００において、第１指定操作受付部２０２が診療報告書データ１２０内の部分データ１２２の第１指定操作を受け付け、第２指定操作受付部２０４が電子カルテデータ１１０内の単位データ１１２の第２指定操作を受け付ける。そして、ＩＤ取得部１０２が第２指定操作により指定される単位データ１１２の記事ＩＤ１１４を取得し、保存部１０４が記事ＩＤ１１４を第１指定操作により指定される部分データ１２２に関連付けて保存する。
【００９６】
これにより、報告書作成支援装置２００によれば、上記実施形態と同様な効果を奏するとともに、さらに、症例報告書１４０に記載された内容のソース情報となる箇所を、後から電子カルテ１３０や看護記録等を閲覧しながら場所を指定することができるので、症例報告書１４０の作成効率が向上する。
【００９７】
なお、本実施形態の記事ＩＤ１１４の後付け作業は、上記実施形態の報告書作成支援装置１００で、電子カルテ１３０からの転記により自動的に付与された記事ＩＤ１１４に、さらに追加して別の場所や書類からソース情報の記事ＩＤ１１４を追加することができる。
【００９８】
（第３の実施の形態）
次に、本発明の第３の実施の形態に係る報告書作成支援装置３００について、以下説明する。なお、本実施形態のデータ処理方法およびプログラムは、上記実施形態と同様で、報告書作成支援装置３００のデータ処理方法を少なくとも１つのコンピュータに実行させるものであり、本実施形態での詳細な説明は省略する。
図１７は、本発明の実施の形態に係る報告書作成支援装置３００の構成を論理的に示す機能ブロック図である。
本実施形態の報告書作成支援装置３００は、上記実施形態の報告書作成支援装置およびその変形態様とは、診療報告書データ１２０から、記事ＩＤ１１４が関連付けられていない部分データ１２２を特定し、提示する構成をさらに有する点で相違する。
【００９９】
報告書作成支援装置３００は、図１の報告書作成支援装置１００と同様なＩＤ取得部１０２と、保存部１０４と、コピー部１０６と、を備えるとともに、さらに、特定部３０２と、強調表示部３０４と、を備える。
なお、図１７では、本実施形態の報告書作成支援装置３００の構成を、図１の報告書作成支援装置１００の構成との組み合わせを例に示してあるが、上記または後述する他の実施の形態およびその変形態様の報告書作成支援装置の構成と組み合わせることもできる。
【０１００】
本実施形態の報告書作成支援装置３００は、診療報告書データ１２０から、記事ＩＤ１１４が関連付けられていない部分データ１２２を特定する特定部３０２と、診療報告書データ１２０を表示する際に、特定された、記事ＩＤ１１４が関連付けられていない部分データ１２２を強調して表示する強調表示部３０４と、をさらに備える。
【０１０１】
図１８は、本実施形態の報告書作成支援装置３００における症例報告書１４０の編集画面３１０を示す図である。
編集画面３１０は、症例報告書１４０を表示し、その編集を受け付ける画面である。ユーザによる編集操作が終了したとき、症例報告書１４０においては、診療報告書データ１２０の部分データ１２２の全てに、少なくとも１つの記事ＩＤ１１４がそれぞれ関連付けられている必要がある。
【０１０２】
そこで、ユーザが、編集画面３１０の漏れチェックボタン３１２を押下することで、特定部３０２は、診療報告書データ１２０から、記事ＩＤ１１４が関連付けられていない部分データ１２２を特定する。たとえば、図１８では、２つの部分データ１２２が特定される。強調表示部３０４が、特定された、記事ＩＤ１１４が関連付けられていない２つの部分データ１２２を、編集画面３１０上の症例報告書１４０の該当箇所を強調して表示する（図中、３１６で示される）。
【０１０３】
また、強調表示部３０４による強調表示３１６は、たとえば、文字または背景のハイライト表示、文字のホールド表示、文字または背景の色変え表示、文字または背景の点滅表示、文字または背景の３Ｄ（3-Dimentional）表示、あるいは、アイコン表示や注釈の吹き出し表示等を含む。
また、特定された部分データ１２２を別画面（ウインドウ）でリスト表示し、印字出力できてもよい。
【０１０４】
そして、ユーザは、強調表示３１６された部分データ１２２を確認し、たとえば、図１４の報告書作成支援装置２００の記事ＩＤ１１４の後付け機能を用いて、記事ＩＤ１１４が関連付けられていない部分データ１２２に、記事ＩＤ１１４を関連付けることができる。
そして、診療報告書データ１２０の全ての部分データ１２２に少なくとも１つの記事ＩＤ１１４が関連付けられた後に、ユーザが確定ボタン３１４を押下することで、症例報告書１４０の編集が終了し、内容が確定され、保存される。
【０１０５】
以上説明したように、本実施形態の報告書作成支援装置３００において、特定部３０２が診療報告書データ１２０から記事ＩＤ１１４が関連付けられていない部分データ１２２を特定し、強調表示部３０４が特定された部分データ１２２を編集画面３１０上で症例報告書１４０の該当箇所を強調表示３１６する。
これにより、本実施形態の報告書作成支援装置３００によれば、上記実施形態と同様な効果を奏するとともに、さらに、診療報告書データ１２０の部分データ１２２に、確実に少なくとも１つの記事ＩＤ１１４を関連付けることができるので、症例報告書１４０の記載を、電子カルテデータ１１０に基づくものとすることができる。
【０１０６】
（第４の実施の形態）
次に、本発明の第４の実施の形態に係る報告書作成支援装置４００について、以下説明する。なお、本実施形態のデータ処理方法およびプログラムは、上記実施形態と同様で、報告書作成支援装置４００のデータ処理方法を少なくとも１つのコンピュータに実行させるものであり、本実施形態での詳細な説明は省略する。
図１９は、本発明の実施の形態に係る報告書作成支援装置４００の構成を論理的に示す機能ブロック図である。
本実施形態の報告書作成支援装置４００は、上記実施形態の報告書作成支援装置およびその変形態様とは、電子カルテデータ１１０の単位データ１１２を自動的に抽出して診療報告書データ１２０の部分データ１２２にコピーし、記事ＩＤ１１４を付して関連付けて自動的に保存する構成をさらに有する点で相違する。
【０１０７】
報告書作成支援装置４００は、図１の報告書作成支援装置１００と同様なＩＤ取得部１０２と、保存部１０４と、を備えるとともに、さらに、報告書情報記憶部４０２と、抽出部４０４と、コピー部４０６と、を備える。
なお、図１９では、本実施形態の報告書作成支援装置４００の構成を、図１の報告書作成支援装置１００の構成との組み合わせを例に示してあるが、上記または後述する他の実施の形態およびその変形態様の報告書作成支援装置の構成と組み合わせることもできる。
【０１０８】
本実施形態の報告書作成支援装置４００において、診療報告書データ１２０は、構造化された単位データ４１０を含む。
報告書情報記憶部４０２は、診療報告書データ１２０内の各単位データ４１０を示すデータ項目ＩＤ４２２に、当該単位データ４１０（の位置）に入力（転記）されるべき電子カルテデータ１１０の単位データ１１２を示す記事ＩＤ１１４を関連付けて記憶する。
抽出部４０４は、データ項目ＩＤ４２２に関連付けられた記事ＩＤ１１４に対応する、電子カルテデータ１１０内の単位データ１１２の一部または全部となるオリジナルコンテンツ１１６を電子カルテデータ１１０から抽出する。
コピー部４０６は、抽出された単位データ１１２の一部または全部となるオリジナルコンテンツ１１６をコピーし、コピーされたオリジナルコンテンツ１１６を診療報告書データ１２０内に編集可能な状態でデータ項目ＩＤ４２２が示す単位データ４１０（の位置）に貼り付ける。
保存部１０４は、記事ＩＤ１１４およびオリジナルコンテンツ１１６と、コピーされたオリジナルコンテンツ１１６が診療報告書データ１２０内に貼り付けられてなる単位データ４１０と関連付けて保存する。
【０１０９】
診療報告書データ１２０は、構造化されている情報であり、たとえば、患者ＩＤ、日付、データ項目、およびデータのフィールドを少なくとも含むことができる。そして、本実施形態では、この構造化された診療報告書データ１２０各レコードに、それぞれデータ項目ＩＤ４２２が付される。
【０１１０】
単位データ４１０は、診療報告書データ１２０のデータフィールドの少なくとも１つのレコードに対応する。単位データ４１０は、電子カルテ１３０から選択されてコピーされ、症例報告書１４０に貼り付けされたデータ、さらに、そのデータを元に編集されたデータである。診療報告書データ１２０のデータフィールドの単位データ４１０のデータ形式は特に限定されない。たとえば、テキストデータ、数値データ、または画像データ等を含む。画像データは、診療報告書データ１２０とは別に保存されている画像ファイルや、ＤＩＣＯＭ形式の医療画像データの格納場所とファイル名を示す情報であってもよい。
【０１１１】
なお、上記または後述する実施形態の部分データ１２２は、本実施形態の単位データ４１０の一部または全部を含むデータである。さらに、部分データ１２２は、複数の単位データ４１０を含んでもよい。
【０１１２】
報告書情報４２０は、症例報告書１４０のテンプレート、テンプレート内に転記される各単位データ４１０（の位置）の対応情報（データ項目ＩＤ４２２）を少なくとも含む。さらに、報告書情報４２０は、症例報告書１４０の書式情報を含んでもよい。報告書情報４２０は、報告書作成支援装置４００の内部に保存してもよいし、報告書作成支援装置４００がアクセス可能な外部の記憶装置に保存されてもよく、保存場所は特に限定されない。
データ項目ＩＤ４２２は、診療報告書データ１２０の各単位データ４１０が、たとえば、症例報告書１４０のどのページのどの場所（たとえば、どの表のどのセル等）に記載されているか等のデータ位置が特定できる対応情報であればよく、そのデータ形式等は、特に限定されない。
【０１１３】
たとえば、症例報告書１４０のテンプレートを作成する際、症例報告書１４０の各欄に転記すべき電子カルテ１３０の記載箇所を選択して指定することで、報告書情報４２０を作成することができる。つまり、症例報告書１４０における診療報告書データ１２０の単位データ４１０（の位置）と、電子カルテ１３０における電子カルテデータ１１０の単位データ１１２（の位置）の対応付けを、症例報告書１４０の雛形を作成する際に行い、報告書情報記憶部４０２が報告書情報４２０を記憶する。報告書情報記憶部４０２は、電子カルテデータ１１０の単位データ１１２を示す記事ＩＤ１１４を、データ項目ＩＤ４２２に関連付けて記憶する。
【０１１４】
次に、本実施形態の報告書作成支援装置４００を用いて電子カルテ１３０から症例報告書１４０を自動生成する手順について説明する。
図２０および図２１は、本実施形態の報告書作成支援装置４００を用いて電子カルテ１３０から症例報告書１４０を自動生成する手順の一例を示すフローチャートである。以下、図１９〜図２１を用いて説明する。
はじめに、図２０に示す手順では、ユーザが症例報告書１４０のテンプレートを作成する。そして、図２０で作成した症例報告書１４０のテンプレートに、図２１に示す手順で、報告書作成支援装置４００が電子カルテデータ１１０からデータを流し込む。
【０１１５】
図２０に示すように、まず、報告書作成支援装置１００において、電子カルテ１３０を開き、図３の表示装置７４に画面表示する（ステップＳ４０１）。ここでは、症例報告書１４０を作成する対象となる患者と、期間を指定して電子カルテ１３０を開いて画面表示する。さらに、症例報告書１４０を新規作成し、図３の表示装置７４に画面表示する（ステップＳ４０３）。ステップＳ４０３では、ユーザが症例報告書１４０のテンプレートを作成する。テンプレートは、報告書情報記憶部４０２が報告書情報４２０として記憶される。このとき、症例報告書１４０のテンプレート内でデータが記入される箇所について、ユーザがそれぞれ診療報告書データ１２０の単位データ４１０を割り当てる。あるいは、単位データ４１０のデータ項目名をユーザが入力することで、報告書情報記憶部４０２がデータ項目名から自動的に単位データ４１０を割り当ててもよい。
【０１１６】
そして、ユーザが、症例報告書１４０のテンプレートの各箇所（たとえば、表のセル）を選択することで、対応する単位データ４１０を指定する（ステップＳ４０５）。報告書情報記憶部４０２が、指定された単位データ４１０（の症例報告書１４０内での位置）を示すデータ項目ＩＤ４２２を取得する。
【０１１７】
次に、ユーザが、指定した単位データ４１０に転記するデータを、電子カルテ１３０からその記載箇所を選択（たとえば、範囲指定）することで、電子カルテデータ１１０の単位データ１１２を指定する（ステップＳ４０７）。報告書情報記憶部４０２が、指定された単位データ１１２の記事ＩＤ１１４を取得する。
なお、本実施形態では、ステップＳ４０５およびステップＳ４０７において、症例報告書１４０のテンプレートと電子カルテ１３０を各画面に表示して、各画面上でそれぞれ対応するデータを選択する構成としているが、これに限定されない。他の例では、症例報告書１４０に転記されるべき単位データ１１２の選択を行うための専用画面を用いてもよい。
【０１１８】
報告書情報記憶部４０２が、取得したデータ項目ＩＤ４２２に記事ＩＤ１１４を関連付けて報告書情報４２０として記憶する（ステップＳ４０９）。
症例報告書１４０のテンプレート作成が終了したとき、ユーザの確定操作を受け付けると（ステップＳ４１１のＹＥＳ）、報告書情報記憶部４０２が、症例報告書１４０のテンプレートを報告書情報４２０に含めて保存する（ステップＳ４１３）。
確定操作前は（ステップＳ４１１のＮＯ）、ステップＳ４０５〜ステップＳ４０９の処理を繰り返す。
【０１１９】
次に、作成された症例報告書１４０のテンプレートを元に、電子カルテ１３０の電子カルテデータ１１０から症例報告書１４０の診療報告書データ１２０にデータを流し込む手順について説明する。なお、以下の手順は、報告書作成支援装置４００による処理を示している。
図２１に示すように、まず、抽出部４０４が、報告書情報４２０を参照し、データ項目ＩＤ４２２に関連付けられた記事ＩＤ１１４に対応する、電子カルテデータ１１０内の単位データ１１２の一部または全部となるオリジナルコンテンツ１１６を電子カルテデータ１１０から抽出する（ステップＳ４２１）。このとき、電子カルテデータ１１０のうち、ステップＳ４０１で指定された症例報告書１４０を作成する対象となる患者の患者ＩＤと期間の日付を検索条件（キー）としてデータを絞り込んでおいて、抽出処理を行ってもよい。
【０１２０】
そして、コピー部４０６が、抽出された単位データ１１２の一部または全部となるオリジナルコンテンツ１１６をコピーする（ステップＳ４２３）。そして、コピー部４０６がコピーされたオリジナルコンテンツ１１６を診療報告書データ１２０内に編集可能な状態でデータ項目ＩＤ４２２が示す単位データ４１０（の位置）に貼り付ける（ステップＳ４２５）。
そして、保存部１０４が、記事ＩＤ１１４およびオリジナルコンテンツ１１６と、コピーされたオリジナルコンテンツ１１６が診療報告書データ１２０内に貼り付けられてなる単位データ４１０と関連付けて保存し（ステップＳ４２７）、処理を終了する。
【０１２１】
以上説明したように、本実施形態の報告書作成支援装置４００において、報告書情報記憶部４０２が診療報告書データ１２０の単位データ４１０と電子カルテデータ１１０の単位データ１１２を予め対応付けて記憶し、抽出部４０４が電子カルテデータ１１０から対応する単位データ１１２を抽出する。そして、コピー部４０６が単位データ１１２のオリジナルコンテンツ１１６をコピーして診療報告書データ１２０の部分データ１２２が示す単位データ４１０（の位置）に貼り付ける。さらに、保存部１０４が記事ＩＤ１１４とオリジナルコンテンツ１１６と単位データ４１０とを関連付けて保存する。
【０１２２】
これにより、本実施形態の報告書作成支援装置４００によれば、上記実施形態と同様な効果を奏するとともに、さらに、電子カルテ１３０から自動的にデータを流し込んで症例報告書１４０を作成することができ、症例報告書１４０の作成効率が向上する。さらに、症例報告書１４０の記載と電子カルテ１３０の記載の関連付けも自動的に行われるので、検証作業の効率も向上する。
【０１２３】
（第５の実施の形態）
次に、本発明の第５の実施の形態に係る報告書作成支援装置５００について、以下説明する。なお、本実施形態のデータ処理方法およびプログラムは、上記実施形態と同様で、報告書作成支援装置５００のデータ処理方法を少なくとも１つのコンピュータに実行させるものであり、本実施形態での詳細な説明は省略する。
図２２は、本発明の実施の形態に係る報告書作成支援装置５００の構成を論理的に示す機能ブロック図である。
本実施形態の報告書作成支援装置５００は、上記実施形態の報告書作成支援装置およびその変形態様とは、診療報告書データ１２０内に対象外の患者のデータが含まれていないことを検証できる構成をさらに有する点で相違する。
【０１２４】
報告書作成支援装置５００は、図１の報告書作成支援装置１００と同様なコピー部１０６を備えるとともに、さらに、ＩＤ取得部５０２と、保存部５０４と、検出部５０６と、を備える。
なお、図２２では、本実施形態の報告書作成支援装置５００の構成を、図１の報告書作成支援装置１００の構成との組み合わせを例に示してあるが、上記または後述する他の実施の形態およびその変形態様の報告書作成支援装置の構成と組み合わせることもできる。
【０１２５】
本実施形態の報告書作成支援装置５００において、ＩＤ取得部５０２は、上記実施形態のＩＤ取得部１０２と同様な機能を有するとともに、さらに、記事ＩＤ１１４に加えて、電子カルテデータ１１０内の単位データ１１２に関連付けられている患者ＩＤ５１０を取得する。
保存部５０４は、記事ＩＤ１１４、患者ＩＤ５１０、およびオリジナルコンテンツ１１６を、診療報告書データ１２０内の部分データ１２２と関連付けて保存する。
検出部５０６は、診療報告書データ１２０内の各部分データ１２２に関連付けられる患者ＩＤ５１０に基づいて、対象外の患者の部分データ１２２が含まれていないかを検出する。
【０１２６】
検出部５０６により、対象外の患者の部分データ１２２が含まれていることが検出された場合、処理部（不図示）が以下の処理を行うことができる。以下は例示であり、これらに限定されない。また、以下の処理を組み合わせてもよい。
（ｅ１）対象外の患者の部分データ１２２が含まれていることを通知する。
（ｅ２）該当する部分データ１２２を特定して、症例報告書１４０の表示画面上で強調表示して知らせる。
（ｅ３）電子カルテ１３０上で単位データ１１２を指定した時に、症例報告書１４０への転記を禁止する。
（ｅ４）診療報告書データ１２０の部分データ１２２に記事ＩＤ１１４とオリジナルコンテンツ１１６とを関連付けて保存することを禁止する。
【０１２７】
また、検出部５０６によるチェックのタイミングも様々考えられ、以下に例示されるが、これらに限定されない。また、以下のタイミングは複数組み合わせてもよい。
（ｆ１）電子カルテ１３０から単位データ１１２を指定する度に一件毎に行う。
（ｆ２）複数の単位データ１１２を指定した後、まとめて行う。
（ｆ３）症例報告書１４０の作成終了時、または、作成済みの症例報告書１４０について行う。
【０１２８】
また、検出部５０６は、患者ＩＤ５１０のチェックだけでなく、対象期間のチェックを行う機能を有してもよい。ＩＤ取得部５０２は、記事ＩＤ１１４に加え、さらに、電子カルテデータ１１０内の単位データ１１２に関連付けられている日付データを取得する。検出部５０６は、症例報告書１４０の対象期間の指定を受け付け、ＩＤ取得部５０２が取得した診療報告書データ１２０内の各部分データ１２２に関連付けられる日付データに基づいて、対象期間外の部分データ１２２が含まれていないかを検出してもよい。
【０１２９】
次に、本実施形態の報告書作成支援装置５００を用いて症例報告書１４０に対象外の患者の情報が含まれていないことをチェックする手順について説明する。
図２３および図２４は、本実施形態の報告書作成支援装置５００を用いた対象患者チェックの手順の例を示すフローチャートである。図２３の手順は、電子カルテ１３０から症例報告書１４０にデータを転記する度に１件毎にチェックを行う場合の例である。図２４の手順は、電子カルテ１３０から症例報告書１４０にデータを複数転記した後、まとめてチェックを行う場合の例である。
【０１３０】
まず、一件毎にチェックする場合について説明する。
図２３に示すように、まず、報告書作成支援装置５００において、電子カルテ１３０を開き、図３の表示装置７４に画面表示する（ステップＳ１１１）。さらに、対象患者を指定して、症例報告書１４０を新規作成または既存の症例報告書１４０のファイルを開き、図３の表示装置７４に画面表示する（ステップＳ５０１）。
【０１３１】
そして、ユーザは、図６（ａ）に示すように、電子カルテ１３０のあるデータをマウスポインタ１５０で範囲選択し、マウスの右クリック等の操作メニュー１５２のコピーを選ぶ操作を行う（ステップＳ５０３）。このとき、報告書作成支援装置５００において、ＩＤ取得部５０２が、コピーされた電子カルテデータ１１０の単位データ１１２の記事ＩＤ１１４を取得するとともに、電子カルテデータ１１０内の単位データ１１２に関連付けられている患者ＩＤ５１０を取得する。そして、コピー部１０６が、単位データ１１２のオリジナルコンテンツ１１６をコピーする（ステップＳ５０３）。
【０１３２】
検出部５０６が、取得された患者ＩＤ５１０が、対象患者のものか否かを判定する（ステップＳ５０５）。対象患者以外の患者ＩＤ５１０であった場合（ステップＳ５０５のＮＯ）、処理部（不図示）が、転記ミスを通知し、ユーザに単位データ１１２の再選択をリクエストする（ステップＳ５０７）。
【０１３３】
一方、患者ＩＤ５１０が対象患者のものであった場合（ステップＳ５０５のＹＥＳ）、ユーザは操作を続ける。図６（ｂ）に示すように、症例報告書１４０において、ユーザは、ステップＳ５０３でコピーした内容を貼り付けする場所をマウスポインタ１５０で選択し、マウスの右クリック等の操作メニュー１５２の貼り付けを選ぶ操作を行う（ステップＳ５０９）。
【０１３４】
このとき、保存部１０４が、記事ＩＤ１１４とオリジナルコンテンツ１１６とをメタ情報１２４として診療報告書データ１２０の部分データ１２２（ここでは、編集前の部分データを１２２ａとする）に関連付けて保存する。
【０１３５】
次に、図６（ｄ）に示すように、ユーザがコピーされた記載内容を編集してもよい（ステップＳ１１９）。
ユーザが部分データ１２２ｂの編集を終え、次の項目選択等の操作を行うと（ステップＳ１２１のＹＥＳ）、ステップＳ５１１に進む。
保存部５０４が、記事ＩＤ１１４、患者ＩＤ５１０、およびオリジナルコンテンツ１１６をメタ情報５１２として、診療報告書データ１２０の編集後の部分データ１２２ｂと関連付けて保存する（ステップＳ５１１）。
そして、症例報告書１４０の作成が終了し、データ入力操作の確定操作をユーザが行うと（ステップＳ１２５のＹＥＳ）、報告書作成手順を終了する。
【０１３６】
次に、複数件まとめてチェックする場合について説明する。
図２４に示すように、まず、報告書作成支援装置５００において、電子カルテ１３０を開き、図３の表示装置７４に画面表示する（ステップＳ１１１）。さらに、対象患者を指定して、症例報告書１４０を新規作成または既存の症例報告書１４０のファイルを開き、図３の表示装置７４に画面表示する（ステップＳ５０１）。
【０１３７】
そして、ユーザは、図６（ａ）に示すように、電子カルテ１３０のあるデータをマウスポインタ１５０で範囲選択し、マウスの右クリック等の操作メニュー１５２のコピーを選ぶ操作を行う（ステップＳ５０３）。このとき、報告書作成支援装置５００において、ＩＤ取得部５０２が、コピーされた電子カルテデータ１１０の単位データ１１２の記事ＩＤ１１４を取得するとともに、電子カルテデータ１１０内の単位データ１１２に関連付けられている患者ＩＤ５１０を取得する。そして、コピー部１０６が、単位データ１１２のオリジナルコンテンツ１１６をコピーする（ステップＳ５０３）。
【０１３８】
そして、図６（ｂ）に示すように、症例報告書１４０において、ユーザは、ステップＳ５０３でコピーした内容を貼り付けする場所をマウスポインタ１５０で選択し、マウスの右クリック等の操作メニュー１５２の貼り付けを選ぶ操作を行う（ステップＳ５０９）。
このとき、保存部１０４が、記事ＩＤ１１４とオリジナルコンテンツ１１６とをメタ情報１２４として診療報告書データ１２０の部分データ１２２（ここでは、編集前の部分データを１２２ａとする）に関連付けて保存する。
【０１３９】
次に、図６（ｄ）に示すように、ユーザがコピーされた記載内容を編集してもよい（ステップＳ１１９）。
ユーザが部分データ１２２ｂの編集を終え、次の項目選択等の操作を行うと（ステップＳ１２１のＹＥＳ）、ステップＳ５２１に進む。
ここで、検出部５０６が、診療報告書データ１２０内の各部分データ１２２に対応して選択された単位データ１１２の患者ＩＤ５１０に基づいて、対象外の患者の単位データ１１２が含まれていないかを検出する（ステップＳ５２１）。対象外の患者の単位データ１１２が含まれている場合（ステップＳ５２１のＹＥＳ）、処理部（不図示）が、転記ミスを通知し、ユーザに単位データ１１２の再選択をリクエストする（ステップＳ５２３）。
【０１４０】
一方、すべて対象患者の単位データ１１２であった場合（ステップＳ５２１のＮＯ）、保存部５０４が、記事ＩＤ１１４、患者ＩＤ５１０、およびオリジナルコンテンツ１１６をメタ情報５１２として、診療報告書データ１２０の編集後の部分データ１２２ｂと関連付けて保存する（ステップＳ５１１）。
そして、症例報告書１４０の作成が終了し、データ入力操作の確定操作をユーザが行うと（ステップＳ１２５のＹＥＳ）、報告書作成手順を終了する。
【０１４１】
なお、ステップＳ５２１の検出部５０６による処理は、ステップＳ５１１で部分データ１２２に単位データ１１２の記事ＩＤ１１４およびオリジナルコンテンツ１１６が関連付けて保存された後に行うこともできる。また、既に作成済みの症例報告書１４０の診療報告書データ１２０について、検出部５０６により患者ＩＤ５１０に基づいて、チェックを行う構成としてもよい。
【０１４２】
以上説明したように、本実施形態の報告書作成支援装置５００において、ＩＤ取得部５０２が記事ＩＤ１１４に加えて、電子カルテデータ１１０内の単位データ１１２に関連付けられている患者ＩＤ５１０を取得し、保存部５０４が記事ＩＤ１１４、患者ＩＤ５１０、およびオリジナルコンテンツ１１６を、診療報告書データ１２０内の部分データ１２２と関連付けて保存する。そして、検出部５０６が診療報告書データ１２０内の各部分データ１２２に関連付けられる患者ＩＤ５１０に基づいて、対象外の患者の部分データ１２２が含まれていないかを検出する。
【０１４３】
これにより、本実施形態の報告書作成支援装置５００によれば、上記実施形態と同様な効果を奏するとともに、さらに、複数の電子カルテ１３０や看護記録等を参照しながら、症例報告書１４０の作成を行った場合に、対象患者以外の単位データ１１２を間違って転記することを防止できる。あるいは、作成済みの症例報告書１４０の検証を効率よく行うことができる。
【０１４４】
（第６の実施の形態）
次に、本発明の第６の実施の形態に係る報告書作成支援装置６００について、以下説明する。なお、本実施形態のデータ処理方法およびプログラムは、上記実施形態と同様で、報告書作成支援装置６００のデータ処理方法を少なくとも１つのコンピュータに実行させるものであり、本実施形態での詳細な説明は省略する。
図２５は、本発明の実施の形態に係る報告書作成支援装置６００の構成を論理的に示す機能ブロック図である。
本実施形態の報告書作成支援装置６００は、上記実施形態の報告書作成支援装置およびその変形態様とは、診療報告書データ１２０の部分データ１２２の表示方法を、関連付けられている電子カルテデータ１１０の単位データ１１２の引用数、引用方法等によって変更できる構成をさらに有する点で相違する。
【０１４５】
報告書作成支援装置６００は、図１の報告書作成支援装置１００と同様なＩＤ取得部１０２と、保存部１０４と、コピー部１０６と、を備えるとともに、さらに、表示制御部６０２を備える。
なお、図２５では、本実施形態の報告書作成支援装置６００の構成を、図１の報告書作成支援装置１００の構成との組み合わせを例に示してあるが、上記または後述する他の実施の形態およびその変形態様の報告書作成支援装置の構成と組み合わせることもできる。
【０１４６】
本実施形態の報告書作成支援装置６００において、表示制御部６０２は、電子カルテデータ１１０内の少なくとも１つの単位データ１１２に関連付けられている診療報告書データ１２０内の各部分データ１２２に関する属性に応じて、各部分データ１２２の表示方法を変更する。
【０１４７】
表示制御部６０２は、図３の表示装置７４に、症例報告書１４０または電子カルテ１３０を画面表示する際に、画面上で各部分データ１２２に関する属性に応じて、部分データ１２２の表示方法を変える。
なお、表示の変更は、症例報告書１４０の部分データ１２２だけでなく、電子カルテ１３０の単位データ１１２にも行ってもよい。
【０１４８】
部分データ１２２に関する属性は、以下に例示されるがこれらに限定されない。
（ｇ１）部分データ１２２の入力の仕方
たとえば、自動転記は青、手動転記はオレンジ、手入力後に記事ＩＤ１１４指定は赤に表示色を変える。
（ｇ２）部分データ１２２に指定される記事ＩＤ１１４の数
たとえば、１つの部分データ１２２に記事ＩＤ１１４が複数指定されている場合に点滅表示、１つも指定されていない場合はアイコンを表示する。
（ｇ３）部分データ１２２のオリジナルコンテンツ１１６からの編集の有無
オリジナルコンテンツ１１６から編集された部分データ１２２は赤に変える。または、部分データ１２２とオリジナルコンテンツ１１６との差分がある場合に赤に変える。
（ｇ４）部分データ１２２のデータ種別
たとえば、部分データ１２２がテキスト、数値、または画像で色を異ならせる。
【０１４９】
部分データ１２２の表示方法の変更方法は、文字または背景の色変え、文字または背景を点滅、文字または背景をハイライト表示、文字をホールド表示、文字または背景の３Ｄ表示、あるいは、アイコン表示や注釈の吹き出し表示等を含む。
【０１５０】
以上説明したように、本実施形態の報告書作成支援装置６００において、表示制御部６０２が、診療報告書データ１２０内の各部分データ１２２に関する属性に応じて、各部分データの表示方法を変更する。これにより、本実施形態の報告書作成支援装置６００によれば、上記実施形態と同様な効果を奏するとともに、さらに、検証の効率を向上できる。その理由は、たとえば、ユーザが部分データ１２２を手入力した後に、記事ＩＤ１１４を後付けした場合には、自動転記や手動転記する場合に比較して、ミスが生じやすい可能性があるが、表示を変えることでユーザに注意を促すことができるためである。また、検証時にも、手入力して記事ＩＤ１１４を後付けした部分について、より念入りに確認するように注意喚起することができる。
さらに、記事ＩＤ１１４が複数付与されている部分データ１２２の表示を変更することで、検証時に複数のソース情報の確認を漏れなく行うように注意喚起することができる。
【０１５１】
（第７の実施の形態）
次に、本発明の第７の実施の形態に係る報告書作成支援装置７００について、以下説明する。なお、本実施形態のデータ処理方法およびプログラムは、上記実施形態と同様で、報告書作成支援装置７００のデータ処理方法を少なくとも１つのコンピュータに実行させるものであり、本実施形態での詳細な説明は省略する。
図２６は、本発明の実施の形態に係る報告書作成支援装置７００の構成を論理的に示す機能ブロック図である。
本実施形態の報告書作成支援装置７００は、上記実施形態の報告書作成支援装置およびその変形態様とは、電子カルテ１３０から中間ファイルを生成し、電子カルテデータ１１０の代わりに使用して診療報告書データ１２０を生成する構成をさらに有する点で相違する。
【０１５２】
報告書作成支援装置７００は、図１の報告書作成支援装置１００と同様なＩＤ取得部１０２と、保存部１０４と、コピー部１０６と、を備えるとともに、さらに、中間ファイル生成部７０２を備える。
なお、図２６では、本実施形態の報告書作成支援装置７００の構成を、図１の報告書作成支援装置１００の構成との組み合わせを例に示してあるが、上記または後述する他の実施の形態およびその変形態様の報告書作成支援装置の構成と組み合わせることもできる。
【０１５３】
本実施形態の報告書作成支援装置７００において、中間ファイル生成部７０２は、電子カルテデータ１１０から、対象となる、患者および期間に対応する単位データ１１２を抽出し、各単位データ１１２に記事ＩＤ１１４を付与し、診療報告書データ作成用の中間ファイルデータ７１０を生成する。
そして、報告書作成支援装置７００は、電子カルテデータ１１０の代わりに、中間ファイルデータ７１０を使用する。
【０１５４】
電子カルテデータ１１０は、たとえば、患者ＩＤ、日付、データ項目、データ等のフィールドを有する。
症例報告書１４０は、所定の期間と対象となる患者が指定されて作成される。
そこで、中間ファイル生成部７０２は、電子カルテデータ１１０から、所定の期間と対象患者に対応する単位データ１１２のレコードを抽出する。また、電子カルテデータ１１０の全てのフィールドデータを抽出するのでなく、症例報告書１４０の作成または検証に必要となるフィールドデータのみ抽出してもよい。
【０１５５】
そして、中間ファイル生成部７０２は、抽出された各レコードに記事ＩＤ１１４を付して、中間ファイルデータ７１０の各単位データ７１２とする。
なお、上記実施形態で説明したように、記事ＩＤ１１４は１つのデータとして中間ファイルデータ７１０内に存在しなくてもよい。
【０１５６】
報告書作成支援装置７００は、このようにして作成された中間ファイルデータ７１０を、電子カルテデータ１１０の代わりに使用する。必要なデータのみを抽出した中間ファイルデータ７１０なので容量が小さくてすみ、操作時の動作も高速化され、操作感も軽くなることが予想される。
記事ＩＤ１１４を中間ファイルデータ７１０の生成時にシリアル番号等で各単位データ７１２に付与することができるので管理しやすい。
【０１５７】
以上説明したように、本実施形態の報告書作成支援装置７００において、中間ファイル生成部７０２が電子カルテデータ１１０から必要なデータのみを抽出して中間ファイルデータ７１０を生成し、報告書作成支援装置７００は電子カルテデータ１１０に変えて中間ファイルデータ７１０を用いる。
これにより、本実施形態の報告書作成支援装置７００によれば、上記実施形態と同様な効果を奏するとともに、さらに、効率よく症例報告書１４０の作成および検証を行うことができる。
【０１５８】
以上、図面を参照して本発明の実施形態について述べたが、これらは本発明の例示であり、上記以外の様々な構成を採用することもできる。
たとえば、図２７に示すように、報告書作成支援装置８００は、少なくともＩＤ取得部１０２と、保存部１０４と、を備えていればよい。
【０１５９】
本実施形態の報告書作成支援装置８００において、ＩＤ取得部１０２が構造化された電子カルテデータ１１０内における或る単位データ１１２を識別する記事ＩＤ１１４を取得し、保存部１０４が記事ＩＤ１１４を診療報告書データ１２０内の部分データ１２２と関連付けて保存する。
これにより、本実施形態の報告書作成支援装置８００によれば、電子カルテ１３０等の原資料の記載と診療報告書（症例報告書１４０）内の記載との関連性を迅速に検証できる。
【０１６０】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
なお、本発明において利用者に関する情報を取得、利用する場合は、これを適法に行うものとする。
【０１６１】
以下、参考形態の例を付記する。
１．  報告書作成支援装置が、
構造化された電子カルテデータ内における或る単位データを識別する記事ＩＤを取得し、
前記記事ＩＤを診療報告書データ内の部分データと関連付けて保存する、
報告書作成支援装置のデータ処理方法。
２．  前記報告書作成支援装置が、
前記電子カルテデータ内の前記単位データの一部または全部となるオリジナルコンテンツをコピーし、前記コピーされたオリジナルコンテンツを前記診療報告書データ内に編集可能な状態で貼り付け、
前記記事ＩＤおよび前記オリジナルコンテンツと、前記コピーされたオリジナルコンテンツが前記診療報告書データ内に貼り付けられてなる前記部分データとを関連付けて保存する、
１．に記載の報告書作成支援装置のデータ処理方法。
３．  前記報告書作成支援装置が、
前記診療報告書データ内の前記部分データの第１指定操作を受け付け、
前記電子カルテデータ内の前記単位データの第２指定操作を受け付け、
前記受け付けられた第２指定操作により指定される単位データに関する記事ＩＤを取得し、
前記取得された記事ＩＤを前記受け付けられた第１指定操作により指定される部分データと関連付けて保存する、
１．または２．に記載の報告書作成支援装置のデータ処理方法。
４．  前記報告書作成支援装置が、
前記診療報告書データから、前記記事ＩＤが関連付けられていない部分データを特定し、
前記診療報告書データを表示する際に、前記特定された、記事ＩＤが関連付けられていない部分データを強調して表示する、
１．から３．いずれか１つに記載の報告書作成支援装置のデータ処理方法。
５．  前記診療報告書データは、構造化された単位データを含み、
前記報告書作成支援装置が、
前記診療報告書データ内の各単位データを示すデータ項目ＩＤに、当該単位データに入力されるべき前記電子カルテデータの前記単位データを示す前記記事ＩＤを関連付けて記憶し、
前記データ項目ＩＤに関連付けられた前記記事ＩＤに対応する、前記電子カルテデータ内の単位データの一部または全部となるオリジナルコンテンツを前記電子カルテデータから抽出し、
前記抽出された単位データの一部または全部となるオリジナルコンテンツをコピーし、前記コピーされたオリジナルコンテンツを前記診療報告書データ内に編集可能な状態で前記データ項目ＩＤが示す単位データに貼り付け、
前記記事ＩＤおよび前記オリジナルコンテンツと、前記コピーされたオリジナルコンテンツが前記診療報告書データ内に貼り付けられてなる前記単位データと関連付けて保存する、
１．から４．いずれか１つに記載の報告書作成支援装置のデータ処理方法。
６．  前記報告書作成支援装置が、
前記記事ＩＤを取得する際、前記記事ＩＤに加えて、前記電子カルテデータ内の前記単位データに関連付けられている患者ＩＤを取得し、
前記記事ＩＤおよび前記患者ＩＤを、前記診療報告書データ内の前記部分データと関連付けて保存し、
前記診療報告書データ内の各部分データに関連付けられる前記患者ＩＤに基づいて、対象外の患者の前記部分データが含まれていないかを検出する、
１．から５．いずれか１つに記載の報告書作成支援装置のデータ処理方法。
７．  前記報告書作成支援装置が、
前記電子カルテデータ内の複数の単位データの各々における一部または全部となるオリジナルコンテンツ群をコピーし、前記コピーされたオリジナルコンテンツ群を前記診療報告書データ内に編集可能な状態で貼り付け、
前記記事ＩＤを取得する際、前記オリジナルコンテンツ群に対応する複数の記事ＩＤを取得し、
前記取得された複数の記事ＩＤを、前記コピーされた複数のオリジナルコンテンツ群が前記診療報告書データ内に貼り付けられてなる前記部分データと関連付けて保存する、
１．から６．いずれか１つに記載の報告書作成支援装置のデータ処理方法。
８．  前記報告書作成支援装置が、
前記電子カルテデータ内の前記単位データの一部または全部となるオリジナルコンテンツをコピーし、前記コピーされたオリジナルコンテンツを前記診療報告書データ内に編集可能な状態で貼り付け、
前記電子カルテデータ内の同一単位データの一部または全部となる同一のオリジナルコンテンツが複数、前記診療報告書データ内の１つの部分データに重複してコピーされた場合、１つの記事ＩＤおよび１つのオリジナルコンテンツと、１つの前記部分データとを関連付けて保存する、
１．から７．いずれか１つに記載の報告書作成支援装置のデータ処理方法。
９．  前記報告書作成支援装置が、
前記診療報告書データ内の前記部分データを表示するとともに、当該部分データに関連付けられている、前記電子カルテデータ内の前記単位データの一部または全部となるオリジナルコンテンツおよび前記単位データの前記記事ＩＤの少なくともいずれか一方を含むメタ情報は非表示とし、
リクエストに応じて、前記メタ情報を当該部分データに対応付けて編集不可および視認可能な状態で表示する、
１．から８．いずれか１つに記載の報告書作成支援装置のデータ処理方法。
１０．  前記報告書作成支援装置が、
前記電子カルテデータ内の少なくとも１つの単位データに関連付けられている前記診療報告書データ内の各部分データに関する属性に応じて、各部分データの表示方法を変更する、
１．から９．いずれか１つに記載の報告書作成支援装置のデータ処理方法。
１１．  前記報告書作成支援装置が、
前記診療報告書データ内の前記部分データの指定操作を受け付け、
前記診療報告書データ内の、前記受け付けられた指定操作により指定される部分データに関連付けられた前記記事ＩＤに基づいて、当該部分データに対応する、前記電子カルテデータ内の単位データを特定し、
前記診療報告書データ内の前記指定される部分データ、および、前記電子カルテデータ内の前記特定された単位データを、それぞれ関連がわかるように表示する、
１．から１０．いずれか１つに記載の報告書作成支援装置のデータ処理方法。
【０１６２】
１２．  報告書作成支援装置を実現するコンピュータに、
構造化された電子カルテデータ内における或る単位データを識別する記事ＩＤを取得する手順、
前記記事ＩＤを診療報告書データ内の部分データと関連付けて保存する手順、
を実行させるためのプログラム。
１３．  前記電子カルテデータ内の前記単位データの一部または全部となるオリジナルコンテンツをコピーし、前記コピーされたオリジナルコンテンツを前記診療報告書データ内に編集可能な状態で貼り付ける手順、
前記記事ＩＤおよび前記オリジナルコンテンツと、前記コピーされたオリジナルコンテンツが前記診療報告書データ内に貼り付けられてなる前記部分データとを関連付けて保存する手順、
をコンピュータに実行させるための１２．に記載のプログラム。
１４．  前記診療報告書データ内の前記部分データの第１指定操作を受け付ける手順、
前記電子カルテデータ内の前記単位データの第２指定操作を受け付ける手順、
前記受け付けられた第２指定操作により指定される単位データに関する記事ＩＤを取得する手順、
前記取得された記事ＩＤを前記受け付けられた第１指定操作により指定される部分データと関連付けて保存する手順、
をコンピュータに実行させるための１２．または１３．に記載のプログラム。
１５．  前記診療報告書データから、前記記事ＩＤが関連付けられていない部分データを特定する手順、
前記診療報告書データを表示する際に、前記特定された、記事ＩＤが関連付けられていない部分データを強調して表示する手順、
をコンピュータに実行させるための１２．から１４．いずれか１つに記載のプログラム。
１６．  前記診療報告書データは、構造化された単位データを含み、
前記診療報告書データ内の各単位データを示すデータ項目ＩＤに、当該単位データに入力されるべき前記電子カルテデータの前記単位データを示す前記記事ＩＤを関連付けて記憶する手順、
前記データ項目ＩＤに関連付けられた前記記事ＩＤに対応する、前記電子カルテデータ内の単位データの一部または全部となるオリジナルコンテンツを前記電子カルテデータから抽出する手順、
前記抽出された単位データの一部または全部となるオリジナルコンテンツをコピーし、前記コピーされたオリジナルコンテンツを前記診療報告書データ内に編集可能な状態で前記データ項目ＩＤが示す単位データに貼り付ける手順、
前記記事ＩＤおよび前記オリジナルコンテンツと、前記コピーされたオリジナルコンテンツが前記診療報告書データ内に貼り付けられてなる前記単位データと関連付けて保存する手順、
をコンピュータに実行させるための１２．から１５．いずれか１つに記載のプログラム。
１７．  前記記事ＩＤに加えて、前記電子カルテデータ内の前記単位データに関連付けられている患者ＩＤを取得する手順、
前記記事ＩＤおよび前記患者ＩＤを、前記診療報告書データ内の前記部分データと関連付けて保存する手順、
前記診療報告書データ内の各部分データに関連付けられる前記患者ＩＤに基づいて、対象外の患者の前記部分データが含まれていないかを検出する手順、
をコンピュータに実行させるための１２．から１６．いずれか１つに記載のプログラム。
１８．  前記電子カルテデータ内の複数の単位データの各々における一部または全部となるオリジナルコンテンツ群をコピーし、前記コピーされたオリジナルコンテンツ群を前記診療報告書データ内に編集可能な状態で貼り付ける手順、
前記記事ＩＤを取得する際、前記オリジナルコンテンツ群に対応する複数の記事ＩＤを取得する手順、
前記取得された複数の記事ＩＤを、前記コピーされた複数のオリジナルコンテンツ群が前記診療報告書データ内に貼り付けられてなる前記部分データと関連付けて保存する手順、
をコンピュータに実行させるための１２．から１７．いずれか１つに記載のプログラム。
１９．  前記電子カルテデータ内の前記単位データの一部または全部となるオリジナルコンテンツをコピーし、前記コピーされたオリジナルコンテンツを前記診療報告書データ内に編集可能な状態で貼り付ける手順、
前記コピーする際、前記電子カルテデータ内の同一単位データの一部または全部となる同一のオリジナルコンテンツが複数、前記診療報告書データ内の１つの部分データに重複してコピーされた場合、１つの記事ＩＤおよび１つのオリジナルコンテンツと、１つの前記部分データとを関連付けて保存する手順、
をコンピュータに実行させるための１２．から１８．いずれか１つに記載のプログラム。
２０．  前記診療報告書データ内の前記部分データを表示するとともに、当該部分データに関連付けられている、前記電子カルテデータ内の前記単位データの一部または全部となるオリジナルコンテンツおよび前記単位データの前記記事ＩＤの少なくともいずれか一方を含むメタ情報は非表示とする手順、
リクエストに応じて、前記メタ情報を当該部分データに対応付けて編集不可および視認可能な状態で表示する手順、
をコンピュータに実行させるための１．から１９．いずれか１つに記載のプログラム。
２１．  前記電子カルテデータ内の少なくとも１つの単位データに関連付けられている前記診療報告書データ内の各部分データに関する属性に応じて、各部分データの表示方法を変更する手順、
をコンピュータに実行させるための１２．から２０．いずれか１つに記載のプログラム。
２２．  前記診療報告書データ内の前記部分データの指定操作を受け付ける手順、
前記診療報告書データ内の、前記受け付けられた指定操作により指定される部分データに関連付けられた前記記事ＩＤに基づいて、当該部分データに対応する、前記電子カルテデータ内の単位データを特定する手順、
前記診療報告書データ内の前記指定される部分データ、および、前記電子カルテデータ内の前記特定された単位データを、それぞれ関連がわかるように表示する手順、
をコンピュータに実行させるための１２．から２１．いずれか１つに記載のプログラム。
【符号の説明】
【０１６３】
３  ネットワーク
６０  コンピュータ
６２  ＣＰＵ
６４  メモリ
６６  ストレージ
６９  バス
７２  入力装置
７４  表示装置
８０  プログラム
１００  報告書作成支援装置
１０２  ＩＤ取得部
１０４  保存部
１０６  コピー部
１１０  電子カルテデータ
１１２  単位データ
１１４  記事ＩＤ
１１６  オリジナルコンテンツ
１２０  診療報告書データ
１２２  部分データ
１２２ａ  編集前の部分データ
１２２ｂ  編集後の部分データ
１２４、１２４ａ、１２４ｂ  メタ情報
１３０  電子カルテ
１３２  看護記録
１４０  症例報告書
１５０  マウスポインタ
１５２  操作メニュー
１６０  報告書作成支援装置
１６２  メタ情報表示制御部
１６４  リンク
１６６  吹き出し表示部
１７０  報告書作成支援装置
１７２  指定操作受付部
１７４  対応データ特定部
１７６  対応データ表示部
２００  報告書作成支援装置
２０２  第１指定操作受付部
２０４  第２指定操作受付部
３００  報告書作成支援装置
３０２  特定部
３０４  強調表示部
３１０  編集画面
３１２  漏れチェックボタン
３１４  確定ボタン
３１６  強調表示
４００  報告書作成支援装置
４０２  報告書情報記憶部
４０４  抽出部
４０６  コピー部
４１０  単位データ
４２０  報告書情報
４２２  データ項目ＩＤ
５００  報告書作成支援装置
５０２  ＩＤ取得部
５０４  保存部
５０６  検出部
５１０  患者ＩＤ
５１２  メタ情報
６００  報告書作成支援装置
６０２  表示制御部
７００  報告書作成支援装置
７０２  中間ファイル生成部
７１０  中間ファイルデータ
７１２  単位データ
８００  報告書作成支援装置
【図１】
2016066332.tif 000003
【図２】
2016066332.tif 000004
【図３】
2016066332.tif 000005
【図４】
2016066332.tif 000006
【図５】
2016066332.tif 000007
【図６】
2016066332.tif 000008
【図７】
2016066332.tif 000009
【図８】
2016066332.tif 000010
【図９】
2016066332.tif 000011
【図１０】
2016066332.tif 000012
【図１１】
2016066332.tif 000013
【図１２】
2016066332.tif 000014
【図１３】
2016066332.tif 000015
【図１４】
2016066332.tif 000016
【図１５】
2016066332.tif 000017
【図１６】
2016066332.tif 000018
【図１７】
2016066332.tif 000019
【図１８】
2016066332.tif 000020
【図１９】
2016066332.tif 000021
【図２０】
2016066332.tif 000022
【図２１】
2016066332.tif 000023
【図２２】
2016066332.tif 000024
【図２３】
2016066332.tif 000025
【図２４】
2016066332.tif 000026
【図２５】
2016066332.tif 000027
【図２６】
2016066332.tif 000028
【図２７】
2016066332.tif 000029